(57)【特許請求の範囲】
【請求項１】
医療用施術具と、前記医療用施術具を接続して使用する医療用機器本体とからなる医療用診療装置であって、
前記医療用機器本体に、
前記医療用施術具に備えられた識別体に対して非接触で電力を供給する電力供給部と、滅菌処理情報に基づいて前記医療用施術具の使用の制限を判定する制御部とを備え、
前記医療用施術具に備えられた前記識別体に、
識別情報を記憶する情報記憶部と、滅菌処理を行ったかの情報である滅菌処理情報を記憶する滅菌処理情報記憶部と、前記電力供給部と相対的に接近させることにより電力を受電する受電部とを備え、
前記医療用施術具に、
前記制御部によって制御され、前記電力供給部と相対的に接近させることにより、少なくとも滅菌処理されていないことによる所定動作を行う所定動作部を備えた
医療用診療装置。
【請求項２】
前記医療用施術具に、
前記医療用機器本体に設けた本体側接続部と接続する施術具側接続部を備え、
前記所定動作部として機能し、前記本体側接続部と前記施術具側接続部との接続を防止する接続防止形状を形成する接続障害部を備えた
請求項１に記載の医療用診療装置。
【請求項３】
前記本体側接続部または前記施術具側接続部の少なくとも一方に、
前記本体側接続部と前記施術具側接続部との接近を検出する接近検出部と、
該接近検出部での検出結果に基づいて報知する接近報知部とを備えた
請求項２に記載の医療用診療装置。
【請求項４】
前記所定動作部として機能し、所定の報知動作を行う報知部を備えた
請求項１乃至請求項３のうちのいずれかに記載の医療用診療装置。
【請求項５】
前記報知部を、発光が可能な光出力部で構成した
請求項４に記載の医療用診療装置。
【請求項６】
前記電力供給部に、
前記医療用施術具に接近させることにより前記識別情報を読み取る読取部を備えた
請求項１乃至請求項５のうちのいずれかに記載の医療用診療装置。
【請求項７】
前記所定動作部として機能し、表示部に警告表示を表示する警告表示機構を備えた
請求項１乃至請求項６のうちのいずれかに記載の医療用診療装置。
【請求項８】
前記識別情報に、
滅菌装置を用いて滅菌した滅菌回数に関する滅菌回数積算情報を含み、
前記滅菌回数積算情報に基づいて前記医療用施術具の交換の要否を判定する交換判定部と、
前記判定結果を報知する交換報知部とを備えた
請求項１乃至請求項７のうちのいずれかに記載の医療用診療装置。
【請求項９】
前記情報記憶部に前記医療用施術具を使用した情報を記憶する
請求項１乃至請求項８のうちのいずれかに記載の医療用診療装置。
【請求項１０】
前記識別体を、パッシブ型のＲＦＩＤで構成した
請求項１乃至請求項９のうちのいずれかに記載の医療用診療装置。
【請求項１１】
医療用機器本体と接続して使用する医療用施術具であって、
識別情報を記憶する情報記憶部と、
滅菌処理を行ったかの情報である滅菌処理情報を記憶する滅菌処理情報記憶部と、
医療用機器本体に備えられた電力供給部と相対的に接近させることにより非接触で前記電力供給部から電力を受電する受電部とを有する識別体と、
前記滅菌処理情報に基づいて、使用の制限を判定する制御部によって制御され、前記電力供給部と相対的に接近させることにより、少なくとも滅菌処理されていないことによる所定動作を行う所定動作部とを備えた
医療用施術具。
【請求項１２】
前記医療用機器本体に設けた本体側接続部と接続する施術具側接続部と、
前記所定動作部として機能し、前記本体側接続部との接続を防止する接続防止形状を前記施術具側接続部に形成する接続障害部を備えた
請求項１１に記載の医療用施術具。
【請求項１３】
前記施術具側接続部に、
前記本体側接続部との接近を検出する接近検出部と、
該接近検出部での検出結果に基づいて報知する接近報知部とを備えた
請求項１２に記載の医療用施術具。
【請求項１４】
前記所定動作部として機能し、所定の報知動作を行う報知部を備えた
請求項１１乃至請求項１３のうちのいずれかに記載の医療用施術具。
【請求項１５】
前記報知部を、発光が可能な光出力部で構成した
請求項１４のいずれかに記載の医療用施術具。
【請求項１６】
前記識別情報に、
滅菌装置を用いて滅菌した滅菌回数に関する滅菌回数積算情報を含み、
前記滅菌回数積算情報に基づいて前記医療用施術具の交換の要否を判定する交換判定部と、交換の要否を判定した判定結果を報知する交換報知部とを備えた
請求項１１乃至請求項１５のうちのいずれかに記載の医療用施術具。
【請求項１７】
前記情報記憶部に使用した情報を記憶する構成とした前記医療用本体との接続を検出する接続検出部を備えた
請求項１１乃至請求項１６のうちのいずれかに記載の医療用施術具。
【請求項１８】
前記識別体がパッシブ型のＲＦＩＤからなることを特徴とする
請求項１１乃至請求項１７のうちのいずれかに記載の医療用施術具。
【発明の詳細な説明】
【技術分野】
【０００１】
この発明は、歯科又は医科等の医療分野において、滅菌処理を確実に行った医療用施術具を施術で使用する医療用診療装置及びその診療装置で使用する医療用施術具に関する。
【背景技術】
【０００２】
歯科医療分野において歯牙の治療や根管治療などに使用する医療用施術具には、医療用機器本体で制御するエアータービンハンドピースやマイクロモータハンドピースなどのハンドピースや、導波路を介して治療用レーザ発生器に接続されるレーザハンドピースなどがある。そして、エアータービンハンドピースやマイクロモータハンドピース、超音波スケーラ、レーザハンドピース等の医療用施術具には、それぞれ各種の切削工具、スケーラチップ、レーザチップが交換可能に装着される。
【０００３】
例えば、先端に切削工具を装着して歯牙や根管などを切削するハンドピースは、治療目的に応じて種類や装着する切削工具に適する駆動が適切に制御されており、これらは患部の状態に応じて適したハンドピースや切削工具を使い分ける必要があった。そのため、施術者は治療目的に応じて複数の前記ハンドピースや前記切削工具を選択して施術を行っている。
【０００４】
適切に制御された前記医療用施術具を用いた施術であっても、患部は出血を起こすことがあるため、前記医療用施術具には血液や唾液が付着する。この血液や唾液が付着した医療用施術具を他の患者に使用した場合、その血液や唾液を介して感染するおそれがあるため、施術に用いた前記医療用施術具は、オートクレーブなどで滅菌処理をしなければならない。
【０００５】
そのため、医療機関では、ハンドピースは駆動制御の設定のみならず、滅菌処理がなされているかを適切に管理する必要がある。  
このような医療用施術具ごとの設定情報や制御情報、滅菌処理を行った情報などを管理する医療用ユニットが特許文献１に記載されている。
【０００６】
詳述すると、特許文献１に記載の医療用診療装置では、通信機能を有する識別素子を備える接続体(ハンドピース)を使用して使用履歴、制御情報等の管理を行うものである。このような識別素子を利用して滅菌処理の履歴管理を行うことも可能である。しかしながら、滅菌処理がされていない前記医療用施術具を誤って前記医療用機器本体に接続することは可能であった。
【先行技術文献】
【特許文献】
【０００７】
【特許文献１】特開２００４−４１５８７号公報
【発明の概要】
【発明が解決しようとする課題】
【０００８】
この発明は、上記問題点に鑑み、医療用施術具が滅菌処理を行っているか否かを容易に確認することができるとともに、前記医療用施術具の滅菌処理を行っていない場合に、その使用を制限することができる医療用診療装置および医療用施術具を提供することを目的とする。
【課題を解決するための手段】
【０００９】
この発明は、医療用施術具と、前記医療用施術具を接続して使用する医療用機器本体とからなる医療用診療装置であって、前記医療用機器本体に、前記医療用施術具に備えられた識別体に対して非接触で電力を供給する電力供給部と、滅菌処理情報に基づいて前記医療用施術具の使用の制限を判定する制御部とを備え、前記医療用施術具に備えられた前記識別体に、識別情報を記憶する情報記憶部と、滅菌処理を行ったかの情報である滅菌処理情報を記憶する滅菌処理情報記憶部と、前記電力供給部と相対的に接近させることにより電力を受電する受電部とを備え、前記医療用施術具に、前記制御部によって制御され、前記電力供給部と相対的に接近させることにより、少なくとも滅菌処理されていないことによる所定動作を行う所定動作部を備えたことを特徴とする。
【００１０】
また、この発明は、医療用機器本体と接続して使用する医療用施術具であって、識別情報を記憶する情報記憶部と、滅菌処理を行ったかの情報である滅菌処理情報を記憶する滅菌処理情報記憶部と、医療用機器本体に備えられた電力供給部と相対的に接近させることにより非接触で前記電力供給部から電力を受電する受電部とを有する識別体と、前記滅菌処理情報に基づいて、使用の制限を判定する制御部によって制御され、前記電力供給部と相対的に接近させることにより、少なくとも滅菌処理されていないことによる所定動作を行う所定動作部とを備えたことを特徴とする。
【００１１】
前記医療用機器本体は、前記医療用施術具と接続するとともに、接続した前記医療用施術具の駆動を制御する制御部を備えた制御装置を指し、例えば、チェアーユニットや、チェアーユニットとは別体のアシスタント用のインスツルメント、レーザ治療装置、無影灯などの他、駆動制御部を備えた前記チェアーユニットなどと接続されたハンドピースやスケーラなども含む。
【００１２】
前記医療用施術具は、前記医療用機器本体から延びる作動媒体供給チューブから取り外して滅菌可能な医療用施術具を指し、例えば、歯科用エアータービンハンドピースや、マイクロモータハンドピース、スケーラーハンドピース、レーザ治療用ハンドピース、根管治療用ハンドピース、口腔外科手術用ハンドピースなどの他、前記ハンドピースに装着する切削工具や、歯石除去に用いるスケーラに接続するスケーラチップ、レーザ治療用ハンドピースのレーザチップなどを含む。
【００１３】
前記電力供給部は、前記受電部に接触することなく電力を供給できる供給装置をさし、例えば、前記受電部に備えたコイルを取り巻く磁場を変位させて前記コイルに電磁誘導を起こさせる磁石や、コイルなどに電流を流すことにより前記受電部に備えたコイルの磁場を変位させる変位磁場発生装置、所定の電波を発生することで受電部に備えたコイルに電流を流す電波発生装置、前記コイルで形成された受電部と共振する所定の周波数の磁場振動を発生するコイルなどを含む。
【００１４】
なお、前記電力供給部は、前記医療用機器本体の一部である場合や前記医療用機器本体と一体に構成する電力供給部である場合、前記医療用機器本体とは別体で構成する電力供給部である場合を含む。すなわち、前記電力供給部は、医料用装置に備えられていても良いし、前記医療用機器本体のインスツルメントホルダ、前記医療用機器本体の操作部又は、前記医療用機器本体の一部である前記作動媒体供給チューブの接続部に設けられていても良い。
【００１５】
前記受電部は、前記電力供給部からの電力の供給を受けて起電する起電装置を指し、例えば、電流が流れているコイルや磁石などを相対的に接近させることにより、取り巻く電場や磁場が変位することにより電磁誘導を起こすコイルや、所定の電波を受けて発電する発電コイル、前記電力供給部に備えたコイルに流れる電流により生じる振動磁場と共鳴して発電する共鳴コイルなどを含む。
【００１６】
前記識別体は、例えば前記受電部で電力の受電を受けて起動するＲＦＩＤを含み、電池を使用しないパッシブタイプのＲＦＩＤの他、電力供給部を接近させることにより前記受電部が起動する構成を持つ電池を備えたセミアクティブタイプのＲＦＩＤのＲＦＩＤを含む。なお、これらの識別体は、オートクレーブに耐える耐熱性を備えている場合には、オートクレーブを用いた滅菌処理が可能であるため、好ましい。
【００１７】
また、上述の前記識別体の通信方法は、前記医療用施術具と前記医療用機器本体側とを接触することなく通信が可能な方法であり、例えば、電磁誘導方式、電磁結合方式、電波方式、静電結合方式、光通信方式などを含む。
【００１８】
前記識別情報は、前記識別体を備えた個々の前記医療用施術具を識別するための情報および前記医療用施術具の状態を記憶する情報をさし、例えば、前記識別体を備えた前記医療用施術具の品番などを示す識別子情報や、前記医療用施術具を使用した日付などの使用履歴情報、滅菌処理をした日付などの滅菌処理情報、前記医療用施術具の制御情報などを含む。なお、滅菌処理情報を含んでいれば、必ずしもこれらの情報を全て含む必要はない。
【００１９】
前記滅菌処理とは、例えば高温高圧環境下で滅菌するオートクレーブを用いた滅菌処理や、酸化エチレンガスを用いた滅菌処理、低温プラズマを利用したプラズマ滅菌処理、ガンマ線や電子線などの放射線を照射することにより滅菌する放射線滅菌処理などを含む。  
前記制御部は、前記医療用機器本体に備える場合のみならず、前記医療用施術具に備える場合、前記医療用機器本体と前記医療用施術具の双方に備える場合を含む。
【００２０】
前記所定動作は、ブザーやメロディなどの音を用いて報知することや、単数または複数個のＬＥＤライトなどの光源を点灯または点滅させるなどの光を用いて報知すること、前記医療用機器本体または医療用施術具に設けた表示部に滅菌処理を行っていない旨の表示すること、前記医療用機器をハンドピースとした場合に前記ハンドピースを振動すること、駆動信号の伝達の停止や続行、洗浄水、エアーや電気などの作用媒体の供給を制御することなどの他、前記医療用機器本体に備えた前記制御部により前記医療用施術具であるハンドピースなどの駆動を制御することや、前記医療用施術具が根管治療に用いる切削工具である場合においては、前記切削工具の駆動を制御することを含む。
【００２１】
また、上述の駆動を制御することとは、前記医療用施術具の駆動の停止や、前記医療用施術具に対する水、エアー、電気、光等の作用媒体の供給を停止することも含む。また、例えば前記医療用機器が歯石除去に用いるスケーラである場合には、スケーラに装着したスケーラ用チップの振動の停止など、前記医療用施術具である切削工具などの振動を停止する場合を含む。
【００２２】
上述の前記所定動作を行うとは、前記医療用機器本体と前記医療用施術具とを接続する前に前記所定動作を行う場合、前記医療用機器本体と前記医療用施術具とを接続した後に前記所定動作を行う場合、前記医療用機器本体と前記医療用施術具との接続前に行っている前記所定動作を接続後も引き続いて行う場合を含む。  
また上記所定動作を行うとは、単一の動作を行う場合や、複数の動作（複数の報知部を用いて報知するなど）を並行して若しくは別々に行う場合を含む。
【００２３】
この発明により、前記医療用施術具が滅菌処理を行っているか否かを容易に確認することができるとともに、滅菌処理を行っていない場合に、その使用を制限することができる。  
詳述すると、前記電力供給部を前記受電部に接近させることで起動された前記識別体は、前記滅菌処理情報を含む前記情報記憶部に記憶された前記滅菌処理情報を読み込むことができるとともに、前記制御部は前記滅菌処理情報に基づいて前記所定動作を行うかどうかの判定をすることができる。
【００２４】
例えば、一旦施術に使用した前記医療用施術具に保持される前記識別体には、施術に使用した記録や滅菌処理した記録が保存される。そして、前記医療用施術具が滅菌処理をされていない場合には、前記識別体に滅菌処理情報が記されない若しくは滅菌処理情報が更新されない。そのため、前記滅菌処理情報に基づいて前記制御部の制御により、前記医療用施術具が直近において滅菌処理を行っていない判定がされるとともに、判定結果に基づいて例えば前記所定動作部で音を発することや表示を行うなどの報知や前記医療用施術具の駆動の停止などの使用を制限する所定動作が行われる。
【００２５】
このような前記所定動作が行われることにより、施術者は、前記医療施術具が滅菌処理を施されておらず、施術に用いることができない医療用施術具であることを施術前に、特に診療装置本体への接続前に確実に認識することができ、前記滅菌処理が施されていない医療用施術具を誤って患者に使用することを予防することができるとともに、前記医療用機器本体への汚染を防止することが出来る。
【００２６】
この発明の態様として、前記所定動作部として機能し、前記医療用施術具の駆動を防止する駆動防止機構を備えることができる。  
上述の駆動を防止するは、前記医療用施術具を駆動可能な状況にしないことや、前記医療用施術具が駆動可能な状況下にあっても、前記医療用施術具を駆動させないことを指し、例えば、接続した前記医療用施術具に前記医療用機器本体からの電気信号を止めて駆動を停止することや、駆動を開始できないように電気信号を遮断すること、所定の電気信号にフィルタをかけて前記医療用施術具の駆動を防止する制御を行うこと、前記医療用機器本体と前記医療用施術具との接続回路を物理的に遮断すること、前記医療用施術具と前記医療用機器本体との接続を物理的に阻害することにより前記医療用施術具の駆動を防止することを含む。
【００２７】
この発明により、例えば滅菌処理を行っていない前記医療用施術具を前記医療用機器本体に誤って接続された場合であっても、前記医療用施術具が駆動することができないため、施術者は前記医療用施術具を使用することができない。
【００２８】
したがって、万が一に誤って滅菌処理を行っていない前記医療用施術具を前記医療用機器本体に物理的に接続した場合であっても、機器としての動作を許容する接続はされず前記医療用施術具を用いて施術することを確実に防止することができる。
【００２９】
またこの発明の態様として、前記医療用施術具に、前記医療用機器本体に設けた本体側接続部と接続する施術具側接続部を備え、前記所定動作部として機能し、前記本体側接続部と前記施術具側接続部との接続を防止する接続防止形状を形成する接続障害部を備えることができる。
【００３０】
前記接続防止形状は、前記医療用機器本体または前記医療用施術具の少なくとも一方に備わっていればよく、例えば前記本体側接続部または前記施術具側接続部の少なくとも一方に備わっている場合や、前記本体側接続部または前記施術具側接続部以外の箇所に備わっている場合も含む。
【００３１】
上述の接続防止形状を形成するとは、前記医療用機器本体と前記医療用施術具との接続を物理的に阻害するように接続防止形状を形成する場合や、前記医療用機器本体と前記医療用施術具とが接続されていても、接続状態を保持できないように接続防止形状を形成する場合を含む。
【００３２】
具体的には、前記本体側接続部または前記施術具側接続部の少なくとも一方に接続を妨げる突出片を突出させることや、前記本体側接続部または前記施術具側接続部の少なくとも一方の接続部位を陥没させること、前記本体側接続部または前記施術具側接続部にそれぞれ備えた凹部と凸部とが嵌合することにより接続する場合に、前記凸部を前記凹部に挿入することを防止するように前記凹部の窪み方向に向けて突出片を突出させること、前記本体側接続部および前記施術具側接続部以外の位置に設けた接続障害部を所定の位置を中心として枢動することで前記接続障害部が接続を防止する位置に配置されることなどを含む。すなわち、前記本体側接続部または前記施術具側接続との接続を防止できる形状であればどのような形状であっても良い。  
なお、前記突出片が接続を防止する位置に突出する場合においては、前記突出片の突出方向は前記医療用施術具の長手軸方向であっても良いし、径方向や斜め方向であっても良い。
【００３３】
この発明により、滅菌処理を行っていない前記医療用施術具と前記医療用機器本体とを接続しようとした場合に、前記滅菌処理情報に基づいて前記接続障害部が前記接続防止形状に形成することができる。これにより、前記施術具側接続部と前記本体側接続部との物理的な接続を確実に防止することができるため、施術者は滅菌処理を行っていない前記医療用施術具を物理的に前記医療用機器本体に接続することができない。  
したがって、滅菌処理を行っていない前記医療用施術具を他の患者に用いることを確実に防ぐことができるとともに、汚染の問題が生じないようにできる。
【００３４】
またこの発明の態様として、前記本体側接続部または前記施術具側接続部の少なくとも一方に、前記本体側接続部と前記施術具側接続部との接近を検出する接近検出部と、該接近検出部での検出結果に基づいて報知する接近報知部とを備えることができる。
【００３５】
上述の報知するとは、ブザーやメロディなどの音を発することや、表示部に文字や画像による警告情報を表示すること、単数または複数個のＬＥＤライトなどの光源を点灯または点滅させるなどの発光すること、点灯あるいは点滅している光を消灯すること、前記医療用機器に表示部を設けて判定結果を前記表示部に表示すること、前記医療用施術具を振動させることなどを含む。また、これらの複数の動作を組み合わせ報知してもよい。
【００３６】
この発明により、前記本体側接続部と前記施術具側接続部とが接近したことを検出して報知することができるため、例えば前記医療用施術具が滅菌処理を行ったか否かにかかわらず、前記本体側接続部と前記施術具側接続部とを接続する前に前記医療用施術具の滅菌処理を行っているかを確認する機会を得ることができる。これにより、施術者は接続が完了する前に前記医療用施術具が滅菌処理を施しているかをより確実に確認できる。  
したがって、前記施術者は前記医療用施術具の状態を確認したうえで前記医療用機器本体に前記医療用施術具を接続することができるため、滅菌処理をしていない前記医療用施術具の接続を予防することができる。
【００３７】
またこの発明の態様として、前記所定動作部として機能し、所定の報知動作を行う報知部を備えることができる。  
この発明により、ブザー音やメロディなどの音声の出力や光の点滅や点灯、または前記に医療用施術具の振動などの方法で、前記医療用施術具を滅菌処理したか否かを報知することができる。すなわち、施術者は視覚や聴覚、又は触覚のいずれか一つ以上により、滅菌処理を行った前記医療用施術具かを認識することができる。したがって、施術者は滅菌処理を行っていない医療用施術具を確実に前記医療用機器本体に接続することを防止できる。
【００３８】
またこの発明の態様として、前記報知部を、発光がよって報知する光出力部で構成することができる。  
前記光出力部は、ＬＥＤ光源やハロゲン電球などの、光を発することができる光源を含み、また前記光出力部は単一の光源や複数の光源を含む。
【００３９】
また、前記光出力部は、前記光出力部が取付けられている位置を施術者が点灯時に目視で認識できれば、どのような位置に設けられていても良く、例えば前記医療用機器本体と前記医療用施術具との接続部位近辺に設けてある場合や、施術患部を照射する患部照明用光源であってもよい。
【００４０】
前記発光とは、単一または複数の光源が点灯または点滅することや、常時点灯する光に対して消灯することにより放置することなどを含む。なお、複数の光源が点灯または点滅する場合には、その光源の一部が点灯または点滅することを含む。
【００４１】
この発明により、施術者は、前記医療用機器本体に対して相対的に接近している前記医療用施術具が滅菌処理を行っているか否かを視覚で容易に認識できる。
【００４２】
またこの発明の態様として、前記医療用機器本体に前記電力供給部を備えるとともに、前記電力供給部に、前記医療用施術具に接近させることにより前記識別情報を読み取る読取部を備えることができる。
【００４３】
この発明により、前記電力供給部と前記識別体とを相対的に接近させることにより、前記受電部が受電できると同時に、前記医療用機器本体で前記識別情報を読み取ることができる。すなわち、前記受電部への受電と前記識別情報の読み取りとを一連の動作で容易に行うことができる。また、前記読取部を備える前記電力供給部を前記医療用機器本体に備えることにより、前記医療用診療装置を構成する装置などの部品数を削減して前記医療用診療装置を簡素化することができる。
【００４４】
またこの発明の態様として、前記所定動作部として機能し、表示部に警告表示を表示する警告表示機構を備えることができる。  
前記表示部は、前記医療用機器本体に備わっている表示部や、前記医療用施術具に備わっている表示部、歯科診療装置の表示用モニタなどを含む。
【００４５】
上述の警告表示を表示するとは、画像や文字、文章などによる前記警告表示を前記表示部に表示する場合のみならず、前記警告表示に加えて前記医療用施術具の前記識別情報を表示部に表示する場合や、例えば滅菌処理の指示などの対処方法を表示部に表示する場合などを含む。
【００４６】
この発明により、前記警告表示が前記表示部に表示されるため、施術者は視覚にて警告内容を明確に認識することができる。また、前記表示部に文章として表示することが可能であるため、施術者は音や光での報知と比べて、より詳細な警告理由を具体的に知ることができる。
【００４７】
またこの発明の態様として、前記識別情報に、滅菌装置を用いて滅菌処理した滅菌回数に関する滅菌回数積算情報を含み、前記滅菌回数積算情報に基づいて前記医療用施術具の交換の要否を判定する交換判定部と、前記判定結果を報知する交換報知部とを備えることができる。
【００４８】
上述の判定結果を報知するとは、前記医療用施術具を交換する必要がある場合に、ブザー音やメロディなどの音声や光の点滅や点灯、表示部への表示などにより報知することの他、例えば、交換を要するまでの処理の許容回数を文字として表示部に表示して報知することなどを含む。
【００４９】
この発明により、施術者は、前記医療用施術具を交換すべきであるか否かを認識することができる。  
詳述すると、前記滅菌回数積算情報を前記識別情報に含むことから、例えば、前記識別情報に予め保存されている前記医療用施術具が滅菌処理に耐えうる滅菌回数である交換基準情報と前記滅菌回数積算情報とを、前記交換判定部において比較するとともに、前記医療用施術具の交換の要否を判定し、前記交換報知部で前記判定結果を報知することができる。これにより、施術者は前記医療用施術具が滅菌処理を行ったものであっても、交換すべきものであることを認識することができる。
【００５０】
またこの発明の態様として、前記情報記憶部に前記医療用施術具を用いて使用した情報を記憶することを特徴とすることができる。  
上述の使用するとは、前記医療用施術具を用いて医療行為を行うことや、前記医療用機器本体に前記医療用施術具を接続することを含む。
【００５１】
また上述の記憶するとは、例えば前記滅菌装置などに備えた情報書き込み装置などを用いて自動で前記滅菌処理情報などを記憶するであってもよいし、他の機器と前記医療用施術具とを接続して操作パネルなどを用いて人の手で直接前記滅菌処理情報などを書き込んでもよい。
【００５２】
上述の情報を記憶するとは、前記情報記憶部に記憶する識別情報の一部または全部を消去して新たな識別情報を記憶する場合、記憶済みの前記識別情報を残しつつ新たな識別情報を前記情報記憶部に記憶する場合、前記記憶部に記憶する識別情報の全部または一部を消去する場合などを含む。
【００５３】
この発明により、前記識別体の前記情報記憶部に、例えばオートクレーブにより滅菌処理を行ったなどの新たな情報を記憶させることができる。  
したがって、施術者は最新の情報に基づいて、前記医療用施術具を使用することができるため、前記医療用施術具を安全に、かつ、繰り返して使用することができる。
【００５４】
またこの発明の態様として、前記識別体がパッシブ型のＲＦＩＤからなることを特徴とする。  
この発明により、前記医療用施術具を駆動するための電力供給用の電池を前記医療用施術具に設ける必要がないため、前記識別体を備えた前記医療用施術具の軽量化を図ることができ、施術者が手指にかかる負担を少しでも小さくすることが出来る。また、前記医療用施術具には電力供給用の電池を設けていないため、例えば高温高圧条件下で滅菌するようなオートクレーブを行ったとしても、電池が劣化するといった問題が生じない。したがって、軽量であるとともに、滅菌処理を容易に行える前記医療用施術具を提供することができる。
【発明の効果】
【００５５】
本発明により、前記医療用施術具が滅菌処理を行っているか否かを容易に確認することができるとともに、滅菌処理を行っていない場合に、その使用を制限することができる医療用診療装置および医療用施術具を提供することができる。
【図面の簡単な説明】
【００５６】
【図１】医療用診療装置の概略斜視図。
【図２】歯科診療用インスツルメントの概略説明図。
【図３】接続解除したハンドピースの概略説明図。
【図４】オートクレーブの説明図。
【図５】診療システムのブロック図。
【図６】ＲＦＩＤと読取装置のブロック図。
【図７】ハンドピースを接続した診療システムの動作のフローチャート。
【図８】滅菌処理されたハンドピースに対する医療用診療装置の動作のフローチャート。
【図９】滅菌処理されていないハンドピースに対する医療用診療装置の動作のフローチャート。
【図１０】ハンドピースを滅菌処理する際の医療用診療装置の動作のフローチャート。
【図１１】ハンドピースが滅菌処理されていない場合に誤ってハンドピースを施術操作制御本体に接続した場合の医療用診療装置の動作についてのフローチャート。
【図１２】他の実施例のハンドピースの説明図。
【図１３】他の実施例の医療用診療装置の動作のフローチャート。
【図１４】他の実施例における突出部の収納のフローチャート。
【発明を実施するための形態】
【実施例１】
【００５７】
図１は、医療用診療装置１の概略斜視図を示す。図２は、歯科診療用インスツルメント２０の説明図を示し、図２（ａ）は歯科診療用インスツルメント２０の平面図を示し、図２（ｂ）は歯科診療用インスツルメント２０の側面図を示す。なお、図２（ｂ）では、歯科診療用インスツルメント２０を構成するマイクロモータハンドピース３０（以下「ハンドピース３０」とする。）の内部構造の概略を示している。
【００５８】
本実施例の説明では、マイクロモータハンドピースの例であるので、モータユニットを接続しているが、エアータービンハンドピースや他のハンドピースでは、他の接続用接手が使用されることは言うまでも無い。モータユニットや他の接続用接手を総称して接続ユニット４０という。本実施例では、マイクロモータハンドピースを基にして説明するが、ハンドピースは各種ある。また、各種の医療用施術具（ハンドピース）を接続ユニット４０に接続したものをまとめてインスツルメントと表現する。
【００５９】
図３は、ハンドピース３０と接続ユニット４０との接続を解除した状態の歯科診療用インスツルメント２０の概略説明図を示している。より詳しくは、図３（ａ）は歯科診療用インスツルメント２０との接続を解除したハンドピース３０と接続ユニット４０との側面図を示し、図３（ｂ）はハンドピース３０の後端面を表した背面図を示し、図３（ｃ）は接続ユニット４０の先端面を表した正面図を示している。また、図３（ａ）では、ハンドピース３０の後端部分であるハンドピース側接続部３４および接続ユニット４０の先端部分であるユニット側接続部４５については部分断面を示している。  
ここで、歯科診療用インスツルメント２０の長手方向に沿ってハンドピース３０がある方向（図３中左側）を先方とし、接続ユニット４０がある方向（図３中右側）を後方とする。
【００６０】
図４はオートクレーブ８０の説明図を示しており、図４（ａ）はオートクレーブ８０の概略斜視図を示し、図４（ｂ）は滅菌装置側接続部８６の滅菌装置側接続面８６１の正面図を示している。図５は医療用診療装置１のブロック図を示し、図６はＲＦＩＤタグ５０とＲＦＩＤリーダライタ６０のブロック図を示す。
【００６１】
図７は、ハンドピース３０と接続ユニット４０とを接続する際の施術操作制御本体１０の動作のフローチャートを示す。図８は、図７において、ハンドピース３０が滅菌処理されている場合の施術操作制御本体１０の動作を示すフローチャートを示している。一方で図９は、図７においてハンドピース３０が滅菌処理されていない場合の、施術操作制御本体１０の動作を示すフローチャートを示している。図１０は、ハンドピース３０の滅菌処理におけるハンドピース３０とオートクレーブ８０の動作を示すフローチャートを示している。
【００６２】
なお、図７乃至図９は左にハンドピース３０の動作を示すフローチャートを、右に施術操作制御本体１０の動作を示すフローチャートを示し、図１０においては、左にハンドピース３０の動作を示すフローチャートを、右にオートクレーブ８０の動作を示すフローチャートを示している。
【００６３】
医療用診療装置１は、図１および図５に示すように、施術操作制御本体１０および歯科診療用インスツルメント２０を備えたチェアーユニット７０で構成している。また、チェアーユニット７０と別個に設けられたオートクレーブ８０（図４参照）は別室に設置している。ここで、医療用機器本体は、施術操作制御本体１０と、後述する接続ユニット４０とを備えたチェアーユニット７０に対応し、滅菌装置はオートクレーブ８０に対応する。  
なお、図４に記載される滅菌装置としてのオートクレーブ８０は、一般に、前記医療用診療装置を構成するチェアーユニット７０とは別個に設けられるものであり、本発明の医療用診療装置１の必須構成ではない。
【００６４】
施術操作制御本体１０は、図１および図５に示すように、歯科診療用インスツルメント２０などの動作設定や報知動作の設定などの操作を行う操作パネル１５と、操作パネル１５に備わる本体側報知装置１６と、操作パネル１５の背面側に備わるモニタ１７と、操作パネル１５の側部に備えたトレーテーブル１８と、操作パネル１５の正面下方に位置する歯科診療用インスツルメント２０を保持するホルダ１９とを備え、操作パネル１５の内部には、ＣＰＵとＲＯＭで構成した処理装置制御部１１と、処理装置制御部１１と接続された本体側記憶装置１４とを有している。
【００６５】
処理装置制御部１１は、図５に示すように、本体側制御部１２とハンドピース側制御部１３とで構成されており、本体側制御部１２は以下の機能的構成を備えている。  
本体側制御部１２は、本体側電力供給制御部１２ａと、本体側通信制御部１２ｂと、本体側駆動制御部１２ｃと、本体側報知動作処理部１２ｄと、施術判定処理部１２ｅと、本体側情報更新制御部１２ｆと、接続判定部１２ｇと、接続報知動作制御部１２ｈとを備える。
【００６６】
本体側電力供給制御部１２ａは、施術操作制御本体１０を起動することにより、後述する接続ユニット４０に備えたＲＦＩＤリーダライタ６０への電流の供給を制御する電力供給用プログラムを後述する本体側プログラム記憶部１４ｅから読み取り、実行する。この本体側電力供給制御部１２ａの制御により、ＲＦＩＤリーダライタ６０から後述するハンドピース３０に備えたＲＦＩＤタグ５０に電力を供給するための電波を発信する。
【００６７】
なお、本実施例において、施術操作制御本体１０を起動することで電力供給プログラムを読み取り実行する構成としているが、この構成に限定されるわけではなく、例えば、電力供給プログラムを読み取る動作なく、施術操作制御本体１０を起動することでＲＦＩＤリーダライタ６０に電流を流して電力供給用電波を発信する構成とすることもできる。
【００６８】
本体側通信制御部１２ｂは、ハンドピース３０から発せられた所定の電波を受信することにより、ハンドピース３０から送信された例えばハンドピース３０の使用履歴に関する情報である使用履歴情報Ｈや、ハンドピース３０を識別する情報である識別子情報Ｌなどの情報を受信して本体側記憶装置１４に保存する制御を行う情報受信用プログラムを、本体側プログラム記憶部１４ｅから読み込んで実行する。また、本体側通信制御部１２ｂは後述するハンドピース側報知動作制御部１３ｂで発信する制御信号などをハンドピース３０に送信する制御を行う情報送信用プログラムを、本体側プログラム記憶部１４ｅから読み込んで実行する。
【００６９】
駆動防止機構に対応する本体側駆動制御部１２ｃは、後述するハンドピース３０が滅菌処理されたかを判定処理した結果である判定処理情報Ｄと識別子情報Ｌとを本体側記憶装置１４から読み込むとともに、読み込まれた判定処理情報Ｄと識別子情報Ｌに基づいて、ハンドピース３０の駆動条件を読み込む制御をするとともに、ハンドピース３０に対応した歯科診療用インスツルメント２０の動作を制御する駆動用プログラムを本体側プログラム記憶部１４ｅから読み込んで実行する。
【００７０】
具体的には、駆動用プログラムには、ハンドピース３０が滅菌処理されていると判定された場合には、ハンドピース３０に対応した駆動条件に基づいて駆動するプログラムが組み込まれており、ハンドピース３０が滅菌処理されていないと判定された場合には、歯科診療用インスツルメント２０の駆動を禁止するプログラムが組み込まれている。
【００７１】
したがって、本体側駆動制御部１２ｃの制御により、ハンドピース３０が滅菌処理されている場合においては、ハンドピース３０は所定の駆動条件で駆動できる。一方、ハンドピース３０が滅菌処理されていない場合には、歯科診療用インスツルメント２０の駆動を禁止する。
【００７２】
本体側報知動作処理部１２ｄは、判定処理情報Ｄを判定処理情報記憶部１４ｄに記憶する記憶処理やその他の信号を受けることにより、判定処理情報Ｄやその他の情報に応じた本体側報知装置１６の報知動作を制御する制御信号を報知設定記憶部１４ｇから読み込んで送信する本体側報知用プログラムを本体側プログラム記憶部１４ｅから読み込んで実行する。
【００７３】
施術判定処理部１２ｅは、施術者が後述するフートコントローラ７４を踏む操作などの歯科診療用インスツルメント２０の駆動命令を受けることで、歯科診療用インスツルメント２０を施術に用いて駆動した際にかかる抵抗電流値と、施術していない場合の抵抗電流値とを計測し、比較することで歯科診療用インスツルメント２０が施術に使われているか否かを判定する施術動作判定用プログラムを、本体側プログラム記憶部１４ｅから読み込んで実行する。これにより、ハンドピース３０（切削回転工具５）が施術に使用されているか否かを判定することができる。
【００７４】
本体側情報更新制御部１２ｆは、使用履歴情報Ｈなどの施術操作制御本体１０に送信された情報を、後述する本体側記憶装置１４から読み出すとともに、新たな情報として書き込みまたは書き換えをして本体側記憶装置１４に保存するとともに、必要に応じて保存された情報をハンドピース３０に送信する送信命令を発する制御部である。
【００７５】
接近検出部に対応する接続判定部１２ｇは、ハンドピース３０のハンドピース側接続部３４と接続ユニット４０の先端に形成されるユニット側接続部４５とが所定の距離まで接近したことや、ハンドピース３０と接続ユニット４０とが接続したこと、ハンドピース３０と接続ユニット４０との接続が解除されたことを判定処理する判定部であり、施術操作制御本体１０を起動することで、後述する接近検知センサー４５５から得られる情報を解析してハンドピース３０と接続ユニット４０との接近および接続を判定処理する接近・接続判定プログラムを読み込んで実行する。  
接続報知動作制御部１２ｈは、接続判定部１２ｇでの判定処理結果を受けて、その判定処理結果に応じた所定の報知動作を制御する接続報知用プログラムを読み込み、実行する。
【００７６】
ハンドピース側制御部１３は以下の機能的構成を備えている。  
ハンドピース側制御部１３は、図５に示すように、滅菌処理情報Ｓと使用履歴情報Ｈとを比較判定する滅菌処理判定処理部１３ａと、報知動作を制御するハンドピース側報知動作制御部１３ｂと、滅菌処理回数情報Ｃと交換基準情報とを比較判定し、滅菌処理回数に応じて所定の報知動作を制御する交換報知動作制御部１３ｃとで構成する。
【００７７】
本体側報知動作処理部１２ｄとハンドピース側報知動作制御部１３ｂとともに制御部に対応する滅菌処理判定処理部１３ａは、本体側記憶装置１４に記憶された滅菌処理情報Ｓと使用履歴情報Ｈとを読み出して比較して、ＲＦＩＤタグ５０を備えたハンドピース３０が滅菌処理を行ったか否かを判定処理するとともに、判定処理の結果である判定処理情報Ｄを判定処理情報記憶部１４ｄに記憶する滅菌処理判定プログラムを読み込んで実行する。
【００７８】
ハンドピース側報知動作制御部１３ｂは、滅菌処理判定処理部１３ａが判定処理情報Ｄを判定処理情報記憶部１４ｄに記憶する制御を行ったことを受けて、判定処理情報Ｄを判定処理情報記憶部１４ｄから読み込むとともに、判定処理情報Ｄに対応する報知動作を制御する制御信号を報知設定記憶部１４ｇから読み込んで、ハンドピース側に発信するハンドピース側報知信号送信プログラムを実行する。また、ハンドピース３０と接続ユニット４０との接近・接続に関する情報などを受信することでも、対応する報知動作を制御する制御信号を接近報知動作記憶部１４ｈから読み込んで、ハンドピース側に発信するハンドピース側接続報知信号送信プログラムを、後述する本体側プログラム記憶部１４ｅから読み込んで実行する。
【００７９】
交換報知動作制御部１３ｃは、ハンドピース３０が滅菌済であることの識別が接続前に接続ユニットで確認した後に、接続ユニット４０と接続されて電力が供給されることで、滅菌処理回数情報Ｃと交換基準情報とを読み込むとともに、交換基準情報に含まれる交換が推奨される基準回数と滅菌処理回数とを比較判定する判定処理と、その判定結果に基づいて所定の報知動作とを制御する回数比較プログラムを本体側プログラム記憶部１４ｅから読み込み、実行する。
【００８０】
本体側記憶装置１４は、ＨＤＤやＳＳＤなどで構成されており、接続ユニット４０に接続したハンドピース３０の型番や滅菌処理を行う条件などの情報を記憶するハンドピース識別情報記憶部１４ａと、歯科診療用インスツルメント２０に対応した駆動条件などの情報である駆動情報を記憶する駆動制御情報記憶部１４ｂと、ハンドピース３０の使用履歴情報Ｈを記憶するハンドピース履歴情報記憶部１４ｃと、滅菌処理判定処理部１３ａで判定した結果である辺帝処理情報Ｄを記憶する判定処理情報記憶部１４ｄ、判定などを行うに当たって用いられる各種プログラムを記憶する本体側プログラム記憶部１４ｅと、患者の施術の履歴などのカルテ情報を記憶する施術履歴情報記憶部１４ｆと、本体側報知装置１６およびハンドピース側報知部３５での報知動作を記憶する報知設定記憶部１４ｇと、接続ユニット４０がハンドピース３０の後端部に接近した場合における報知動作の制御信号を記憶する接近報知動作記憶部１４ｈと、ハンドピース３０が耐えうる滅菌処理の回数の情報である交換基準情報を記憶する交換基準情報記憶部１４ｉとで構成される（図５参照）。
【００８１】
操作パネル１５は、図１に示すように、トレーテーブル１８の正面側に設置された所定の操作入力を行う入力部である。なお、操作パネル１５は、タッチスクリーンやポインティングスティック、あるいはスイッチ等で構成している。また、マウスなどの適宜の入力デバイスを備えてもよい。
【００８２】
報知部および接近報知部に対応する本体側報知装置１６は、本体側報知動作処理部１２ｄの処理により所定の報知動作を行う報知装置であり、施術操作制御本体１０（モニタ１７）を正面視した場合において、操作パネル１５の左側に設置されている。
【００８３】
具体的には、ブザーなどの音声を出力する出力部である本体側音声出力部１６ａ、ＬＥＤライトを点灯または点滅させることにより視覚的に報知する本体側光出力部１６ｂおよび、判定結果を表示する本体側報知モニタ１６ｃとで構成されている。なお、本体側報知装置１６は、各種のハンドピース毎にホルダ１９の適所にそれぞれ設けても良い。
【００８４】
モニタ１７は、図１に示すように、操作パネル１５の背面側に備えた表示部であり、例えば、施術履歴情報記憶部１４ｆに記憶する患者の性別や年齢、前回の治療日などのカルテ情報や、図示しないＸ線撮影装置により撮像し生成した施術の対象となる歯牙に関するＸ線画像、Ｘ線画像と口腔内カメラ（図示省略）で撮影した歯牙画像などを表示する。
【００８５】
トレーテーブル１８は、外枠に比べて少し窪んだ平らな平面１６ａを上面内側に有するトレーテーブルであり、上面に例えば接続ユニット４０に接続する前のハンドピース３０や切削回転工具５などの施術具、操作パネル１５の構成として機能するマウスなど置くことができる（図１参照）。  
操作パネル１５の正面側に設けられたホルダ１９は、図１に示すように、歯科診療用インスツルメント２０を配置するハンドピースホルダーである。
【００８６】
また、歯科診療用インスツルメント２０は、図２および図３に示すように、チェアーユニット７０と接続チューブ４４を介して接続されている接続ユニット４０と、医療用施術具に対応するハンドピース３０とを着脱自在に連結して構成しており、接続ユニット４０と接続するハンドピース３０の接続部分であるハンドピース側接続部３４にはＲＦＩＤタグ５０が、ハンドピース３０と接続する接続ユニット４０の接続部分であるユニット側接続部４５には、ＲＦＩＤリーダライタ６０がそれぞれ設けられている。  
【００８７】
ハンドピース３０は、図２および図５に示すように、手指によって把持される把持部３１と、把持部３１と連接された細径のネック部３２と、ネック部３２に連接されたヘッド部３３とが後方からこの順に配置されており、ハンドピース３０の後端部分には接続ユニット４０と接続するハンドピース側接続部３４が構成されている。  
把持部３１は、図２に示すように、金属性の筒状の把持部外装カバー３１ａで覆われるとともに、把持部外装カバー３１ａの周面にはハンドピース側報知部３５を備える。
【００８８】
報知部および接近報知部に対応するハンドピース側報知部３５は、ハンドピース側報知部３５を備えたハンドピース３０が滅菌処理を行ったか否かの判定結果に基づいて、所定の報知動作を実行する報知部であり、ブザー音やメロディなどの音により報知するハンドピース側音声出力部３５ａと、光出力部に対応するＬＥＤライトを点灯や点滅することにより報知するハンドピース側光出力部３５ｂとで構成される。  
なお、施術操作制御本体１０及びハンドピース３０の報知動作は、操作パネル１５を操作することにより設定し、報知設定記憶部１４ｇや接近報知動作記憶部１４ｈに記憶することができる。
【００８９】
把持部３１の内部には、図２（ｂ）に示すように、接続された接続ユニット４０の内部に内蔵されたマイクロモータ４１の出力軸４１ａに連結され、マイクロモータ４１の回転に伴って回転する４１ａと接続することにより軸回転可能に構成された第一駆動伝達軸３１１を配置している。
【００９０】
ネック部３２は、金属製の筒状のネック部外装カバー３２ａで覆われるとともに、内部には第二駆動伝達軸３２１及び第三駆動伝達軸３２２が後方からこの順で配置されている。第三駆動伝達軸３２２と第二駆動伝達軸３２１は、第二駆動伝達軸３２１の先端側に設けたベベルギヤ３２１ａによって屈曲可能に軸回転可能に連設されている（図２（ｂ）参照）。
【００９１】
また、把持部３１とネック部３２には、接続ユニット４０の内部に配置したＬＥＤ（図示省略する）で発光された照明光を、ネック部３２の底面側に設けた照射口３９から施術対象箇所に向かって照射するための導光路３９ａを配置している。
【００９２】
ヘッド部３３は、先端側を構成するヘッドハウジング３３１と、後端側においてネック部３２のネック部外装カバー３２ａと連続する長手方向に貫通する筒状の本体側筒部３３２とで構成している。また、ヘッドハウジング３３１の内側には、第四駆動伝達軸３３３が配置されており、切削回転工具５を第四駆動伝達軸３３３の軸心に直交する軸心回りに回転自在且つ着脱自在に保持する工具保持部３３４を備える。
【００９３】
工具保持部３３４は、ヘッドハウジング３３１の内部に備える回転自在にされたロータ軸と、ロータ軸に装着された切削回転工具５を把持するチャックとで構成しており（図示省略）、ロータ軸の上端側が第四駆動伝達軸３３３の先端に形成されたフロントベベルギア３３３ａと噛合している。
【００９４】
この構成により、マイクロモータ４１の回転駆動力が第一駆動伝達軸３１１と、第二駆動伝達軸３２１と、第三駆動伝達軸３２２とを介して第四駆動伝達軸３３３に伝わり、第四駆動伝達軸３３３の回転に伴って、チャックで把持した切削回転工具５が回転する。
【００９５】
ハンドピース３０の後端部分には、図３に示すように、接続ユニット４０との接続状態において、接続ユニット４０の先端部分と接続するハンドピース側接続部３４を備えるとともに、図３に示すように、後述するユニット側挿入部４５２の挿入が可能な円柱状の空間を形成する凹部３４ａを内部に形成し、凹部３４ａの中心部分にはハンドピース３０と接続ユニット４０とを接続した接続状態において接続ユニット４０と連結する出力軸４１ａと接続する第一駆動伝達軸３１１が設けられている。
【００９６】
施術具側接続部に対応するハンドピース側接続部３４は、図３に示すように、ハンドピース３０の後端側に形成されるハンドピース接続面３４１と、凹部３４ａの内周面を形成するハンドピース内壁３４２と、ハンドピース３０の外周面を形成するハンドピース外壁３４３と、ハンドピース接続面３４１から後方に突出する位置決め凸部３４４とで構成する。
【００９７】
ハンドピース内壁３４２は、図３（ｂ）に示すように、把持部３１の内部に円柱状の空間を形成する凹部３４ａの内周面を構成し、断面視で所定の径を有する円を形成している。  
ハンドピース外壁３４３は、断面視でハンドピース内壁３４２の内径よりも大きな径を有し、ハンドピース３０の後端部分に形成する円筒形の外周面である。
【００９８】
位置決め凸部３４４は、第一駆動伝達軸３１１から長手方向後方に突出した略直方体形状をした突出部である。  
また、ハンドピース３０には、接続ユニット４０のユニット側挿入部４５２が挿入される中心側のハンドピース内壁３４２と、ハンドピース内壁３４２を囲む円筒形のハンドピース外壁３４３の間であって、ハンドピース３０における位置決め部材３４４の近傍部分には、非接触で情報の通信が可能なパッシブ型のＲＦＩＤタグ５０が設けられている。パッシブ型のＲＦＩＤタグ５０は、ＲＦＩＤリーダライタ６０のＲＷ電力供給部６１から電波を受けることで電力が供給されて動作する構成であり、電池を有していない。そのため、情報通信用の識別体をパッシブ型ＲＦＩＤタグ５０とすることでハンドピース３０の軽量化が図れる。
【００９９】
なお、ハンドピース接続面４１の後端側は、ＲＦＩＤリーダライタ６０が発する電波の通過を許容する適宜の素材で被覆してあり（図示省略）、ＲＦＩＤタグ５０がＲＦＩＤリーダライタ６０と非接触通信可能となるようにしてある。また、ＲＦＩＤタグ５０は、外壁３１３近傍位置に配置されていることが好ましい。
【０１００】
識別体に対応するＲＦＩＤタグ５０は、図６に示すように、受電アンテナ５１と、ＲＦＩＤ記憶部５２と、ＲＦＩＤ制御部５３と、通信アンテナ５４とで構成する。  
受電部に対応する受電アンテナ５１は、コイル状に構成された電波受信用アンテナであり、所定の周波数の電波を受信することでＲＦＩＤ制御部５３などに電力を供給する。
【０１０１】
具体的には、接続ユニット４０に備えられたＲＦＩＤリーダライタ６０に対してハンドピース３０を相対的に接近させることで、リーダライタ６０から発信された電波に基づいて、受電アンテナ５１を取り囲む磁界が変位して電磁誘導が起こり、ハンドピース３０に設けたＲＦＩＤ制御部５３などに電力を供給するアンテナである。すなわち、医療用機器本体に備えられたＲＷ電力供給部６１を受電アンテナ５１に相対的に接近させることにより、非接触でＲＦＩＤタグ５０に電力を供給し、識別信号の通信用電源にすることができる。
【０１０２】
なお、本実施例においてＲＦＩＤ５０とリーダライタ６０との電力伝送方式としては、電波方式にとしているが、この方式に限られず、例えば電磁誘導方式や電磁結合方式としてもよい。
【０１０３】
情報記憶部に対応するＲＦＩＤ記憶部５２は、図６に示すように、ＲＦＩＤタグ５０を備えるハンドピース３０に関する情報を記憶する記憶部であり、ハンドピース３０を特定する識別子情報Ｌを記憶する識別子情報記憶部５２ａと、ハンドピース３０が滅菌処理を行ったかの情報である滅菌処理情報Ｓを記憶する滅菌処理情報記憶部５２ｂと、ハンドピース３０を使用履歴である使用履歴情報Ｈを記憶する使用履歴情報記憶部５２ｃと、滅菌処理回数を記憶する滅菌処理回数記憶部５２ｄと、ＲＦＩＤでの制御動作を行うためのプログラムを保存するＲＦＩＤプログラム記憶部５２ｅとで構成されている。
【０１０４】
ＲＦＩＤ制御部５３は、ＣＰＵとＲＯＭとＲＡＭで構成されており、読込制御部５３ａ、通信処理部５３ｂ、情報更新制御部５３ｃで構成する。  
読込制御部５３ａは、受電アンテナ５１が電波を受けて起電することにより、ＲＦＩＤ記憶部５２に記憶する情報を読み込むとともに、読み込んだ情報を施術操作制御本体１０に送信する送信信号を通信処理部５３ｂに送ることを制御する情報読込プログラムをＲＦＩＤプログラム記憶部５２ｅから読み込んで実行する。
【０１０５】
通信処理部５３ｂは、後述するＲＷ通信アンテナ６２から通信アンテナ５４が所定の電波を受けることにより、施術操作制御本体１０から送信された情報を受信する受信プログラムを読み込んで実行する。または、所定の送信命令を受けてＲＦＩＤ記憶部５２から読み込んだ情報などを施術操作制御本体１０に送信する送信プログラムを読み込んで実行する。  
【０１０６】
情報更新制御部５３ｃは、施術操作制御本体１０から例えば使用履歴情報Ｈを受信することにより、受信した情報をＲＦＩＤ記憶部５２に書き込みまたは書き換え処理を制御するプログラムの読み込むとともに実行する。なお、書き込み処理などが完了した際には、書き込み完了の信号を通信処理部５３ｂに送信する。
【０１０７】
通信アンテナ５４は、通信処理部５３ｂの通信処理に基づいてＲＦＩＤリーダライタ６０との間で相対的近接度が数メートルから数センチメートルの範囲で送受信する通信部であり、所定の情報を施術操作制御本体１０に非接触で送信するＲＦＩＤ送信アンテナ５４ａと、所定の情報を施術操作制御本体１０に非接触で受信するＲＦＩＤ受信アンテナ５４ｂとで構成する。
【０１０８】
接続ユニット４０は、図２に示すように、ハンドピース３０の後端と接続することで一体として歯科診療用インスツルメント２０を形成する接続体であり、その内部には、ハンドピース３０の先端部分に着脱自在に装着される切削回転工具５を回転駆動させるためのマイクロモータ４１と、マイクロモータ４１の先端側に連結して先端に回転を伝達する出力軸４１ａとを内蔵している。また、ハンドピース３０との接続状態において出力軸４１ａが第一駆動伝達軸３１１と接続してマイクロモータ４１の回転駆動力を第一駆動伝達軸３１１に伝えることができる構成となっている。
【０１０９】
また、接続ユニット４０の後端には、接続ユニット４０に内蔵されるマイクロモータ４１への駆動電源供給用リード線４２、ハンドピース３０の先端に備わる患部照射用光源３９の導光路３９ａと連接する照射電力供給用リード線４３などを内装する接続チューブ４４が連結されている。なお、接続チューブ４４の後端は施術操作制御本体１０と接続しており、接続ユニット４０の駆動は駆動電源供給用リード線４２を介して本体側駆動制御部１２ｃで制御されている。
【０１１０】
接続ユニット４０の先端部分には、図３に示すように、ハンドピース３０との接続状態において、ハンドピース側接続部３４と接続するユニット側接続部４５を備える。  
本体側接続部に対応するユニット側接続部４５は、ハンドピース３０との接続面であるユニット接続面４５１と、ユニット接続端面４５１の中心部分から先端方向に向かって突出する筒状のユニット側挿入部４５２と、接続ユニット４０の外周面を形成するユニット外壁４５３と、接続状態において位置決め凸部３４４と対向する位置に配置する位置決め凹部４５４と、ハンドピースの接近を検知するために用いる接近検知センサー４５５とで構成する。
【０１１１】
ユニット側挿入部４５２は、図３（ａ）に示すように、把持部３１に設けられた凹部３４ａの深さと同じ長さ先端方向に突出する円筒状の筒状体であり、断面視で内径が第一駆動伝達軸３１１よりも一回り以上大きな円形を形成するとともに、外径がハンドピース内壁３４２よりも一回り小さな円形を形成している。また、ハンドピース内壁３４２に形成された内部空間中心部分には、ハンドピース３０との接続状態において第一駆動伝達軸３１１と接続する出力軸４１ａが配置されている。
【０１１２】
ユニット外壁４５３は、接続ユニット４０の先端側に形成される外周面であり、その径はハンドピース外壁３４３と略同径である。すなわち、ハンドピース３０と接続ユニット４０との接続状態において、ハンドピース３０の後端表面と接続ユニット４０の先端表面とが平らな一面を形成することとなる。
【０１１３】
位置決め凹部４５４は、図３（ｃ）に示すように、ユニット接続端面４５１の上方に形成された位置決め凸部３４４と同形状に窪んだ嵌合穴である。
【０１１４】
接近検知センサー４５５は、ユニット接続端面４５１を正面視した場合において（図３（ｃ）参照）、ユニット接続端面４５１であって位置決め凹部４５４と対向する位置に設けられた接近検知センサーであり、発光素子から赤外線を照射しその反射光を受光素子で受けることにより、ハンドピース３０の接続面であるハンドピース接続面３４１の接近や接続、接続の解除を検知することができる。
【０１１５】
このような構成であるユニット接続端面４５１は、位置決め凸部３４４と対向する位置に配置して、ハンドピース側接続部３４とユニット側接続部４５とが接続するように移動させることにより、位置決め凸部３４４を嵌合する。これにより、ハンドピース３０と接続ユニット４０との径方向の位置決めをすることができる。
【０１１６】
また、ユニット側挿入部４５２とユニット外壁４５３との間であって、接続状態においてＲＦＩＤタグ５０と対向する位置にＲＦＩＤリーダライタ６０を設けている。  
読取部に対応するＲＦＩＤリーダライタ６０は、図６に示すように、ＲＦＩＤタグ５０に電力を供給するＲＷ電力供給部６１と、ＲＦＩＤタグ５０との間で情報の送受信を行うＲＷ通信アンテナ６２とで構成する。
【０１１７】
電力供給部に対応するＲＷ電力供給部６１は、電源から電流が供給されることにより所定波長の電波を発する電波発生部である、ＲＦＩＤタグ５０に、電波を発するＲＷ電力供給部６１（ＲＦＩＤリーダライタ６０）を接近させることで、受電アンテナ５１が電波を受けて電力が起電される。すなわち、ＲＷ電力供給部６１を受電アンテナ５１に接近させることにより、非接触でＲＦＩＤタグ５０に電力を供給することができる。
【０１１８】
ＲＷ通信アンテナ６２は、図６に示すように、ＲＦＩＤ記憶部５２との間で送受信可能な送受信用アンテナであり、例えばハンドピース３０と接続ユニット４０との接近に関する情報や本体側記憶装置１４に記憶する識別体に関する情報などをハンドピース３０に送信するＲＷ送信アンテナ６２ａと、ハンドピース３０から送信される情報を受信するＲＷ受信アンテナ６２ｂとで構成する。
【０１１９】
なお、本実施例において、ＲＷ通信アンテナ６２と通信アンテナ５４との通信形態は、両アンテナ間を電波で通信する電波方式とする。この場合に、必要に応じて変調器、複調器を介しても良い。  
また、ＲＷ通信アンテナ６２と通信アンテナ５４との通信形態はこの形態に限るものではなく、例えば、両アンテナ間にコイルを設けて両コイル間に高周波を印加させることで、相互誘導で通信する電磁結合方式や電磁誘導方式としてもよい。
【０１２０】
チェアーユニット７０は、図１に示すように、背面シートの傾動や座面の昇降が可能な診療椅子７１と、唾液や冷却水等の吸引装置やうがいを行うための装置が装備されているベースンユニット７２と、口腔内の唾液などのバキームシリンジ等を配置するアシスタントホルダ７３と、診療椅子７１に接続され、施術者の足によって操作され、踏み込み及び踏み込み量を検出できるペダル７４ａとを備えたフートコントローラ７４で構成されている。
【０１２１】
一般に、前記チェアーユニット４０から離れた場所に設置されているオートクレーブ８０は、接続ユニット４０から取り外したハンドピース３０を高圧蒸気滅菌処理するための滅菌処理装置であり、図４に示すように、ハンドピース３０を内部に収納可能なオートクレーブ本体８１と、滅菌条件などの設定を入力する入力手段８２と、滅菌処理時の圧力を表示する圧力計８３と、滅菌処理に用いる水を供給する給水口８４と、滅菌処理後に内部の水を排水する排水口８５と、ハンドピース３０の後端部であるハンドピース側接続部３４を接続する滅菌装置側接続部８６とで構成し、オートクレーブ本体８１の内部には滅菌装置側制御部８７と、歯科診療用インスツルメント２０に対応した滅菌処理条件情報やオートクレーブ８０の制御動作用のプログラムを記憶する滅菌装置側記憶部８８と、前記滅菌装置側接続部８６を有するハンドピース３０を収容する収容部８９を備える。を備える。
【０１２２】
滅菌装置側接続部８６の先端部は、ハンドピース３０の後端部ハンドピース側接続部３４と接続可能な構造を有する。すなわち、滅菌装置側接続部８６の先端部は、ユニット側接続部４５と略同じ構成を有する。
【０１２３】
具体的には、図４（ｂ）に示すように、ユニット接続端面４５１に対応する滅菌装置側接続面８６１と、ユニット側挿入部４５２に対応する筒状体接続部８６２と、ユニット外壁４５３に対応する滅菌装置側外周面８６３と、位置決め凹部４５４に対応する滅菌装置側位置決め凹部８６４と、接近検知センサー４５５に対応する滅菌装置側センサー８６５と、突片退避穴８６６とで構成する。
【０１２４】
滅菌装置側接続面８６１は、ハンドピース３０との接続状態においてハンドピース接続面３４１と接する接続面であり、滅菌装置側挿入部８６２は、先端側に向かってハンドピース３０に設けられた凹部３４ａの深さと同じ長さだけ突出する円筒体であり、その外径はハンドピース内壁３４２の内径と等しい大きさである。なお、滅菌装置側挿入部８６２の内部空間には、マイクロモータ４１に対応する接続片を備えていない。
【０１２５】
滅菌装置側外周面８６３は、滅菌装置側接続部８６の外周を形成する外周面であり、その径はハンドピース側接続部３４の外径と同じ長さである。すなわちハンドピース外壁３４３の径と同じ大きさである。
【０１２６】
滅菌装置側位置決め凹部８６４は、ハンドピース３０との接続状態において、位置決め凸部３４４に対向する位置に設けられた位置決め凸部３４４と同じ形状（直方体状）の窪み部分であり、滅菌装置側位置決め凹部８６４の近傍にはＲＦＩＤリーダライタ６０と同一の構成を有するＲＦＩＤリーダライタ６０ｓ（以下「ＲＷ装置６０ｓ」とする。）が設けられている。
【０１２７】
なお、ＲＦＩＤリーダライタ６０ｓは、この実施例においては、滅菌装置側接続部８６に設けたが、滅菌装置８０のどこかに設ければ良いのであって、滅菌装置側接続部８６に設けることが必須ではないし、また滅菌装置側接続部８６を設けることも必須ではない。
【０１２８】
滅菌装置側センサー８６５は、接近検知センサー４５５と同様に、滅菌装置側接続面８６１を正面視した場合において（図４（ｂ）参照）、滅菌装置側接続面８６１の滅菌装置側位置決め凹部８６４と対向する位置に設けられた接近検知センサーである。
【０１２９】
突片退避穴８６６は、ユニット側接続部４５にない構成であり、図４（ｂ）に示すように、滅菌装置側挿入部８６２と滅菌装置側外周面８６３の間に挟まれた滅菌装置側接続面８６１の中央やや下方の位置に設けられた円形状孔部であり、その直径は環状に形成された滅菌装置側接続面８６１の幅よりも一回り小さな長さである。また、突片退避穴８６６の深さは滅菌装置側挿入部８６２の長手方向に対する長さの十分の一程度の長さである。
【０１３０】
滅菌装置側制御部８７は、図５に示すように、機能的構成である滅菌装置側電力供給制御部８７ａと、滅菌装置側通信制御部８７ｂと、滅菌装置側読取制御部８７ｃと、滅菌処理検出処理部８７ｄと、滅菌処理情報作成部８７ｅと、滅菌装置側接近検出部８７ｆと、滅菌装置側動作制御部８７ｇとを備える。
【０１３１】
滅菌装置側電力供給制御部８７ａは、ＲＦＩＤタグ５０に電力を供給するための電波を発するために電流をＲＷ装置６０ｓに供給することを制御する電源供給プログラムを、滅菌装置側記憶部８８から読み込んで実行する制御部であり、本体側電力供給制御部１２ａと同様の機能を果たす。
【０１３２】
滅菌装置側通信制御部８７ｂは、ハンドピース３０に備えられたＲＦＩＤタグ５０に対して所定の電波を発信することにより、ＲＦＩＤタグ５０と電波方式による無線通信を行うことで所定の情報を送信するとともに、ハンドピース３０に記憶する所定の情報などを受信する送受信処理を制御するプログラムを滅菌装置側記憶部８８から読み込んで実行する制御部である。
【０１３３】
滅菌装置側読取制御部８７ｃは、識別子情報Ｌに基づいて滅菌装置側記憶部８８に記憶する滅菌処理条件を読み出す滅菌条件読出プログラムを読出して実行する制御部である。  
滅菌処理検出処理部８７ｄは、例えばオートクレーブ８０の稼働を検出して滅菌処理が開始されたことと検出する、または稼働条件や稼働時間などの経過に基づいて、滅菌処理が終わったことを検出する処理部である。
【０１３４】
滅菌処理情報作成部８７ｅは、滅菌処理が完了した後に、滅菌処理を行った旨の情報や、各医療用施術具の累計の滅菌処理回数や滅菌処理時間の情報等の滅菌処理情報Ｓを作成するプログラムを滅菌装置側記憶部８８から読み込んで実行する制御部である。
【０１３５】
滅菌装置側接近検出部８７ｆは、ハンドピース３０のハンドピース側接続部３４と滅菌装置側接続部８６とが所定の距離まで接近したことや、ハンドピース側接続部３４と滅菌装置側接続部８６とが接続したこと、ハンドピース側接続部３４と滅菌装置側接続部８６との接続が解除されたことを判定処理する判定部であり、オートクレーブ８０を起動することで、後述する滅菌装置側接近検知センサー８６５から得られる情報を解析してハンドピース３０と滅菌装置側接続部８６との接近および接続を判定処理する接近・接続判定プログラムを読み込んで実行する。
【０１３６】
滅菌装置側動作制御部８７ｇは、滅菌装置側接続部８６とハンドピース３０とが接続している場合には、滅菌処理情報Ｓの更新を行った信号を受信してオートクレーブ本体８１の正面に設けてある蓋のロックを解除する動作を制御し、または、滅菌装置側接続部８６とハンドピース３０とが接続していない場合には、滅菌処理終了の信号を受信してオートクレーブ本体８１の正面に設けてある蓋のロックを解除する動作プログラムを読み込んで実行する。
【０１３７】
なお、本実施例において、ＲＷ装置６０ｓを滅菌装置側接続部８６（滅菌装置側位置決め凹部８６４の近傍）に設けているが、必ずしも滅菌装置側接続部８６を設ける必要はなく、例えばＲＷ装置６０ｓをオートクレーブ８０の適所にＲＷ装置６０ｓを備える構成や、滅菌装置側制御部８７の機能的構成を有する別体のＲＦＩＤリーダライタ装置を備える構成としても良い。後者の場合、オートクレーブ８０を用いて滅菌処理を終えた後に、再度ＲＦＩＤリーダライタ装置に各医療用施術具のＲＦＩＤタグを接近させて滅菌処理情報記憶部５２ｂに記憶する滅菌処理情報Ｓを更新する必要がある。
【０１３８】
一方で、本実施例は、ＲＷ装置６０ｓを滅菌装置側接続部８６に設けているため、ハンドピース３０と滅菌装置側接続部８６とを接続することで識別子情報記憶部５２ａに記憶する識別情報を読取ることが可能であるとともに、滅菌処理が終わった後も自動で滅菌処理情報Ｓを更新することができるため、一連の動作で滅菌処理情報Ｓの更新ができるとともに、滅菌処理情報Ｓの更新を忘れることを確実に防止することができる。
【０１３９】
次に、このような構成を有する医療用診療装置１を用いて、施術者が患者の施術を行う場合の医療用診療装置１の動作について、図７乃至図９に示すフローチャートに基づいて説明する。  
なお、図７乃至図９は、ハンドピース３０と接続ユニット４０とを接続する場合に、ハンドピース３０が滅菌処理を行っているかを判定し、判定結果に基づいて歯科診療用インスツルメント２０の動作を制御する施術操作制御本体１０およびハンドピース３０の動作を示すフローチャートである。
【０１４０】
まず初めに、施術操作制御本体１０を起動することで、本体側電力供給制御部１２ａが電力供給プログラムを読み込んで実行する。これにより、電源から接続ユニット４０に設けたＲＦＩＤリーダライタ６０（ＲＷ電力供給部６１）に電流が供給され、ＲＷ電力供給部６１から所定の周波数の電波が発信される（ステップｓ１）。この状態において、ハンドピース接続面３４１とユニット接続端面４５１とが対向するようにハンドピース３０と接続ユニット４０とを配置する。
【０１４１】
次に、ハンドピース３０を接続ユニット４０の先端方向に向けて近接させるように相対的に移動させることで、ハンドピース接続面３４１に設けたＲＦＩＤタグ５０とユニット接続端面４５１に設けたＲＦＩＤリーダライタ６０とが互いに接近する。これにより、ハンドピース３０に設けられたＲＦＩＤタグ５０内においてコイル状に形成された受電アンテナ５１に電磁誘導が起こり、ＲＦＩＤタグ５０に電流が流れて起電力が生じることとなる（ステップｓ１）。
【０１４２】
受電アンテナ５１が、電力の供給を受けることにより、読込制御部５３ａがＲＦＩＤプログラム記憶部５２ｅから情報読込プログラムを読み込んで実行する。この読込制御部５３ａの制御により、ＲＦＩＤ記憶部５２に記憶する識別子情報Ｌと滅菌処理情報Ｓと使用履歴情報Ｈが読み込まれるとともに、これらの情報を施術操作制御本体１０に送信する指示である送信信号を通信処理部５３ｂに送る（ステップｓ２）。そして、送信信号を受けた通信処理部５３ｂの制御処理により、読み込まれた識別子情報Ｌと滅菌処理情報Ｓと使用履歴情報ＨとをＲＦＩＤ送信アンテナ５４ａより、施術操作制御本体１０に送信する（ステップｓ３）。
【０１４３】
施術操作制御本体１０が、ＲＷ受信アンテナ６２ｂを介して受信した識別子情報Ｌと滅菌処理情報Ｓと使用履歴情報Ｈとを本体側情報更新制御部１２ｆの制御により本体側記憶装置１４に保存する。次に、滅菌処理判定処理部１３ａの処理により、本体側記憶装置１４から読み出した滅菌処理情報Ｓと使用履歴情報Ｈとを比較してハンドピース３０が滅菌処理済みか否かを判定され、判定結果である判定処理情報Ｄが判定処理情報記憶部１４ｄに記憶される（ステップｓ４）。
【０１４４】
判定処理の結果、ハンドピース３０が滅菌処理済みである場合には（ステップｓ４：Ｙｅｓ）、図８に示すように、本体側報知動作処理部１２ｄが本体側報知用プログラムを読み込んで実行することにより、本体側光出力部１６ｂを緑色に点灯するとともに、受信した識別子情報Ｌに基づきハンドピース識別情報記憶部１４ａに記憶する型番などの情報を読み込み、本体側報知モニタ１６ｃに『ハンドピース３０の型番』と『使用許可』を表示する（ステップｓ５）。
【０１４５】
また、判定処理情報Ｄを判定処理情報記憶部１４ｄに記憶する処理を受けて、ハンドピース側報知動作制御部１３ｂが本体側プログラム記憶部１４ｅからハンドピース側報知信号送信プログラムを読み込み実行することにより、判定処理情報Ｄに対応するハンドピース側の報知動作を制御する制御信号が報知設定記憶部１４ｇから読み込まれるとともに、本体側通信制御部１２ｂに送信命令を発し、判定処理結果である判定処理情報Ｄに対応する制御信号がハンドピース側に発信される（ステップｓ５）。
【０１４６】
ハンドピース３０がＲＦＩＤ受信アンテナ５４ｂを介して報知動作を制御する制御信号を受信することにより（ステップｓ６）、ハンドピース３０に備わるハンドピース側光出力部３５ｂが緑色に点灯される（ステップｓ７）。これらの報知動作により施術者はハンドピース３０が滅菌済みであることを確認でき、ハンドピース３０を接続ユニット４０に接続することができる。
【０１４７】
報知動作の完了後に、報知動作が実行された旨の情報が、通信処理部５３ｂの通信処理によりＲＦＩＤ送信アンテナ５４ａとＲＷ受信アンテナ６２ｂとを介して施術操作制御本体１０に送信される（ステップｓ８）。
【０１４８】
そして、本体側駆動制御部１２ｃの制御により、本体側記憶装置１４から識別情報Ｌと判定処理情報Ｄを読み込むとともに、識別子情報Ｌと判定処理情報Ｄを基にして駆動制御情報記憶部１４ｂに記憶するハンドピース３０に対応する駆動情報が読み込まれる（ステップｓ９）。これにより駆動情報に基づいて歯科診療用インスツルメント２０（ハンドピース３０）を駆動することができ、接続ユニット４０と接続したハンドピース３０は、駆動情報に基づいて適切な駆動制御が行われ、施術者は安全に施術をすることができる。
【０１４９】
また、施術者がハンドピース３０と接続ユニット４０と接近させることで、接続判定部１２ｇが接近判定プログラムを読み込んで実行し、ハンドピース３０と接続ユニット４０との接近を検出する。この際、接続報知動作制御部１２ｈが接続報知用プログラムを読み込んで実行することで、本体側光出力部１６ｂを緑色に点灯したままとなる。そして、ハンドピース３０と接続ユニット４０とが接続されると、接続報知動作制御部１２ｈの制御により、本体側光出力部１６ｂをそのまま緑色に点灯した状態のまま本体側報知モニタ１６ｃに『使用可』と表示する（ステップｓ１０）。これにより、施術者は施術を開始することができる。
【０１５０】
施術者がフートコントローラ７４を踏み込んで歯科診療用インスツルメント２０の駆動命令を与えることにより、施術判定処理部１２ｅが本体側プログラム記憶部１４ｅに記憶する施術動作判定用プログラムを読み込んで実行する（ステップｓ１１）。
【０１５１】
具体的には、ハンドピース３０に備えた切削回転工具５が歯牙などを切削することにより、フートコントローラ７４の踏み込みに連動して変化するようにしたハンドピースの回転数制御に関する駆動に要する抵抗電流値が上昇する。この駆動に要する抵抗電流値と、施術していない場合の駆動に要する抵抗電流値とを施術判定処理部１２ｅの判定処理で比較し、その値に基づいて施術が開始されたことを判定する（ステップｓ１１）。
【０１５２】
また、施術が完了すると、抵抗電流値が施術していない場合の抵抗電流値を略同値となるため、施術判定処理部１２ｅの判定処理により、施術終了したと判定する（ステップｓ１２）。なお、この実施例の説明では、施術の開始及び施術の終了をフートコントローラ７４の操作信号を検出したが、これに限らずにホルダ１９にＲＦＩＤリーダライタなどを備える構成とすることで、インスツルメント２０をホルダ１９から取り上げた信号を操作開始信号とし、戻した信号を操作終了信号としても良い。
【０１５３】
施術判定処理部１２ｅの判定処理により施術が終了したと判定した後、本体側情報更新制御部１２ｆの制御により、ハンドピース履歴情報記憶部１４ｃに記憶するハンドピース３０に対応する使用履歴情報Ｈを読み込むとともに、使用した日時などを新たに書き込む処理をするとともに、新たな使用履歴情報Ｈをハンドピース履歴情報記憶部１４ｃに記憶する（ステップｓ１３）。
【０１５４】
また、本体側情報更新制御部１２ｆの制御による送信命令を受けた本体側通信制御部１２ｂが、送信プログラムを実行することで、使用履歴情報ＨがＲＷ送信アンテナ６２ａを介してＲＦＩＤリーダライタ６０に送信する（ステップｓ１４）。
【０１５５】
ＲＦＩＤ受信アンテナ５４ｂを介して受信された使用履歴情報Ｈは、情報更新制御部５３ｃにより使用履歴情報記憶部５２ｃに上書き保存される（ステップｓ１５）。
【０１５６】
使用履歴情報Ｈが記憶された後に、ＲＦＩＤ送信アンテナ５４ａを介して接続解除許可の信号が送られる。この信号を受信した本体側報知動作処理部１２ｄの制御により、本体側光出力部１６ｂが黄色に点滅する（ステップｓ１６）。これにより、施術者はハンドピース３０を接続ユニット４０から取り外すことができる。この際に、接続判定部１２ｇの制御により、接続ユニット４０からハンドピース３０が取り外されたことが検出され（ステップｓ１７）、一連の動作が終了する。
【０１５７】
次に、図７および図９のフローチャートを用いて、ハンドピース３０が滅菌処理を行っていない場合について説明する。なお、重複する箇所の説明は簡略化する。 
図７に示すように、受電アンテナ５１が電力の供給を受けることで（ステップｓ１）、読込制御部５３ａがＲＦＩＤプログラム記憶部５２ｅに記憶する情報読込プログラムを読み込んで実行することで、ＲＦＩＤ記憶部５２から識別子情報Ｌと滅菌処理情報Ｓと使用履歴情報Ｈとが読み込むとともに、これらの情報を施術操作制御本体１０に送信する送信信号を通信処理部５３ｂに送る（ステップｓ２）。
【０１５８】
次に、送信信号を受けた通信処理部５３ｂの制御処理により、読み込まれた識別子情報Ｌと滅菌処理情報Ｓと使用履歴情報ＨとをＲＦＩＤ送信アンテナ５４ａを介して施術操作制御本体１０に送信する（ステップｓ３）。  
ＲＷ受信アンテナ６２ｂを介して受信した識別子情報Ｌと滅菌処理情報Ｓと使用履歴情報Ｈとを本体側情報更新制御部１２ｆの制御により本体側記憶装置１４に保存する。次に、滅菌処理判定処理部１３ａの処理により、保存した滅菌処理情報Ｓと使用履歴情報Ｈとを読み込んで比較し、ハンドピース３０が滅菌処理済みであるか否かが判定されるとともに、判定結果である判定処理情報Ｄを判定処理情報記憶部１４ｄに記憶される（ステップｓ４）。
【０１５９】
判定処理の結果、ハンドピース３０の滅菌処理を行っていないと判定した場合には（ステップｓ４：Ｎｏ）、図９に示すように、滅菌処理判定処理部１３ａの制御による判定処理情報Ｄを判定処理情報記憶部１４ｄに記憶する記憶処理を受けて、本体側報知動作処理部１２ｄが本体側報知用プログラムを読み込んで実行する。この本体側報知動作処理部１２ｄの処理により、本体側光出力部１６ｂが赤色に点灯するとともに、受信した識別子情報Ｌに基づきハンドピース識別情報記憶部１４ａに記憶する型番などの情報を読み込み、本体側報知モニタ１６ｃに『ハンドピース３０の型番』と『使用不可』と表示される（ステップｓ１８）。
【０１６０】
この際、本体側報知動作処理部１２ｄの処理により、本体側報知モニタ１６ｃに『滅菌処理を行ってください』などの対処法を表示する処理を行ってもよく、また、前回使用した際の情報、例えば使用した日時や患者の氏名などの情報を表示する処理を行ってもよい。
【０１６１】
また、判定処理情報Ｄを判定処理情報記憶部１４ｄに記憶する記憶処理を受けて、ハンドピース側報知動作制御部１３ｂが本体側プログラム記憶部１４ｅからハンドピース側報知信号送信プログラムを読み込み実行することで、ハンドピース３０の滅菌処理を行っていない場合のハンドピース側報知部３５の報知動作を制御する制御信号が報知設定記憶部１４ｇから読み込まれ、本体側通信制御部１２ｂの制御により、制御信号がハンドピース側に発信される（ステップｓ１９）。
【０１６２】
ハンドピース３０が、ハンドピース側報知部３５の報知動作を制御する制御信号を受信することにより（ステップｓ１９）、ハンドピース３０に備わるハンドピース側光出力部３５ｂが赤色に点灯される（ステップｓ２０）。これらの報知動作により施術者は接続ユニット４０と接続しようとしているハンドピース３０の滅菌処理が行われていないことを認識することができ、ハンドピース３０と接続ユニット４０との接続を回避することができる。
【０１６３】
報知動作の完了後に、報知動作が実行された旨の情報が、通信処理部５３ｂの通信処理によりＲＦＩＤ送信アンテナ５４ａとＲＷ受信アンテナ６２ｂとを介して施術操作制御本体１０に送信されて一連の動作が終了する（ステップｓ２１）。
【０１６４】
上述のように、ハンドピース３０及び施術操作制御本体１０において、使用を制限する報知動作が行われたハンドピース３０は、オートクレーブ８０で滅菌処理することで、接続ユニット４０に接続可能な報知動作を実施することとなる。
【０１６５】
以下、そのハンドピース３０とオートクレーブ８０の動作について図１０に示すフローチャートに基づいて説明する。
【０１６６】
先ず、オートクレーブ８０の電源を入れることで滅菌装置側電力供給制御部８７ａが、電源供給プログラムを滅菌装置側記憶部８８から読み込んで実行し、滅菌装置側接続部８６に備えたＲＷ装置６０ｓすなわち、ＲＷ電力供給部６１ｓのコイルに高周波電力が供給される（ステップｖ１）。
【０１６７】
次に、滅菌処理を行う者が、オートクレーブ本体８１の正面に設けてある蓋を空け、内部の上面から下方に突出している滅菌装置側接続部８６に対してハンドピース３０のハンドピース接続面３４１が滅菌装置側接続部８６の滅菌装置側接続面８６１と対向するように配置し、ハンドピース３０を滅菌装置側接続部８６と接続する。
【０１６８】
この際、ハンドピース３０に設けたＲＦＩＤタグ５０と滅菌装置側接続部８６に備えたＲＷ装置６０ｓとが接近するため、ＲＷ電力供給部６１ｓのコイルに供給された高周波電力による電磁誘導により受電アンテナ５１が起電する（ステップｖ１）。これにより、ハンドピース３０に電力が供給される。
【０１６９】
次に、電磁誘導による受電アンテナ５１の起電することで、読込制御部５３ａがＲＦＩＤプログラム記憶部５２ｅに記憶する情報読込プログラムを読み込んで実行して、ＲＦＩＤ記憶部５２から識別子情報Ｌを読出す制御を行うとともに、識別子情報Ｌをオートクレーブ８０に送信する指示である送信信号を通信処理部５３ｂに発信する。そして送信信号を受けた通信処理部５３ｂの通信処理により識別子情報Ｌを施術操作制御本体１０に送信する（ステップｖ２）。
【０１７０】
識別子情報Ｌを受信することで（ステップｖ２）、滅菌装置側読取制御部８７ｃが滅菌条件読出プログラムを読み込んで実行し、識別子情報Ｌに対応した滅菌処理条件を滅菌装置側記憶部８８から読み出す（ステップｖ３）。
【０１７１】
次に、接続判定部１２ｇの判定により、ハンドピース３０とオートクレーブ８０とが接続されたことを検知する（ステップｖ４）。そして、滅菌処理の開始信号を受けることにより、滅菌処理検出処理部８７ｄで滅菌処理が開始されたことを検出処理される（ステップｖ５）。そして、所定の条件を達した後に滅菌処理の終了したことを検出する（ステップｖ６）。
【０１７２】
滅菌処理が終了したオートクレーブ８０は、滅菌処理情報作成部８７ｅの処理によって、新たな滅菌処理情報Ｓを作成し、当該滅菌処理情報Ｓを滅菌装置側通信制御部８７ｂの制御によってハンドピース３０に送信する（ステップｖ７）。
【０１７３】
送信された滅菌処理情報Ｓを受信したハンドピース３０（ＲＦＩＤタグ５０）は、情報更新制御部５３ｃの制御により、滅菌処理情報記憶部５２ｂに記憶する滅菌処理情報Ｓを書き換えて滅菌処理情報記憶部５２ｂに新たな滅菌処理情報Ｓとして保存する（ステップｖ８）。
【０１７４】
滅菌処理情報Ｓが滅菌処理情報記憶部５２ｂ記憶された信号を、ＲＦＩＤ送信アンテナ５４ａを介して受信した後に、滅菌装置側動作制御部８７ｇの制御により、オートクレーブ本体８１の正面に設けてある蓋のロックを解除する（ステップｖ９）。これにより、施術者はハンドピース３０を接続ユニット４０から取り外すことができる。この際に、滅菌装置側接近検出部８７ｆの制御により、滅菌装置側接続部８６からハンドピース３０が取り外されたことが検出され（ステップｖ１０）、一連の動作が終了する。
【０１７５】
このように、滅菌処理情報Ｓが滅菌完了に書き換えられたハンドピース３０を、ハンドピース側接続部３４とユニット側接続部４５とが対面する状態で接続ユニット４０と相対的に接近させることで、図７に示すように受電アンテナ５１が起電するため（ステップｓ１）、ＲＦＩＤ送信アンテナ５４ａの制御により新たに保存された滅菌処理情報Ｓと使用履歴情報Ｈとを読み込むこととなる（ステップｓ２）。そして、読み込まれた滅菌処理情報Ｓと使用履歴情報Ｈとを受信した滅菌処理判定処理部１３ａの判定処理によりハンドピース３０が滅菌処理済みである判定され、その判定処理情報Ｄが判定処理情報記憶部１４ｄに記憶される（ステップｓ４）。
【０１７６】
そして、ハンドピース側報知動作制御部１３ｂの制御による比較判定結果に基づいて、ハンドピース３０と接続ユニット４０との接続が可能である旨の報知動作が実行されることとなる（ステップｓ５）。
【０１７７】
また、本実施例において、ハンドピース３０で滅菌処理情報Ｓを受信して、情報更新制御部５３ｃの制御により滅菌処理情報Ｓを新たな滅菌処理情報Ｓとして保存すると同時に、滅菌処理回数情報Ｃを更新することもできる。
【０１７８】
具体的には、滅菌処理情報Ｓを受信するとともに、読込制御部５３ａの制御により、滅菌処理回数記憶部５２ｄに記憶する滅菌処理回数情報Ｃを読み込み、情報更新制御部５３ｃの制御により滅菌処理回数情報Ｃを更新し、滅菌処理回数記憶部５２ｄに新たな滅菌処理回数情報Ｃとして記憶することができる。
【０１７９】
このように、滅菌処理回数情報Ｃを記憶することにより、交換基準情報記憶部１４ｉに記憶する交換基準情報と滅菌処理回数情報Ｃとを交換報知動作制御部１３ｃで比較し、交換が推奨される滅菌処理回数に達している場合などには、例えば交換報知動作制御部１３ｃの制御により、ハンドピース側光出力部３５ｂを黄色に点灯するなどとして、施術者に報知することができる。  
また、交換報知動作制御部１３ｃの制御により、例えばモニタ１７に残りの滅菌処理可能回数を表示する構成としても良い。
【０１８０】
このような構成を有する医療用診療装置１は、施術操作制御本体１０と接続ユニット４０とを備えるチェアーユニット７０で構成される医療用機器本体と、施術操作制御本体１０と接続チューブ４４を介して接続された接続ユニット４０と接続して使用するハンドピース３０と、非接触で電力を供給するＲＷ電力供給部６１を有する接続ユニット４０とを備え、ハンドピース３０に、少なくとも直近においてオートクレーブ８０を用いて滅菌処理を行ったか否かの情報である滅菌処理情報Ｓを記憶するＲＦＩＤ記憶部５２と、ＲＷ電力供給部６１（ＲＦＩＤリーダライタ６０）と相対的に接近させることにより電力を受電する受電アンテナ５１とを有するＲＦＩＤタグ５０を備えるとともに、滅菌処理情報Ｓに基づいて、ハンドピース３０が滅菌処理されているかを判定することにより、ハンドピース３０の使用を制限する所定動作を実施するかを判定する滅菌処理判定処理部１３ａと、滅菌処理判定処理部１３ａの判定結果に基づいて、本体側報知動作処理部１２ｄおよびハンドピース側報知動作制御部１３ｂによって制御され、ハンドピース３０の使用を制限する所定の報知動作を行う本体側報知装置１６およびハンドピース側報知部３５を備えることにより、ハンドピース３０が滅菌処理を行っているか否かを容易に確認することができるとともに、滅菌処理を行っていない場合に、その使用を制限することができる。
【０１８１】
詳述すると、ＲＷ電力供給部６１を受電アンテナ５１に接近させることで起動されたＲＦＩＤタグ５０からＲＦＩＤ記憶部５２に記憶する滅菌処理情報Ｓおよび使用履歴情報Ｈを読み込み、施術操作制御本体１０に送信する。そして、施術操作制御本体１０が受信した滅菌処理情報Ｓおよび使用履歴情報Ｈに基づいて、ハンドピース３０が滅菌処理されたかを滅菌処理判定処理部１３ａで判定したのちに、その判定結果である判定処理情報Ｄに基づいて本体側光出力部１６ｂ及びハンドピース側光出力部３５ｂが、所定の報知動作を行う。このように、滅菌処理判定処理部１３ａと本体側報知動作処理部１２ｄとハンドピース側報知動作制御部１３ｂとが協働することにより、所定の報知動作をするか否かを判定することができる。
【０１８２】
より具体的には、滅菌処理判定処理部１３ａの判定処理により、ハンドピース３０が滅菌処理をしていないと判定した場合、滅菌処理をしていない旨の判定処理情報Ｄに基づいた本体側報知動作処理部１２ｄおよびハンドピース側報知動作制御部１３ｂの制御により、その判定結果である判定処理情報Ｄに基づいて駆動制御信号を読み取り、本体側光出力部１６ｂやハンドピース側光出力部３５ｂは赤色に点灯させるなどの報知を行う。  
なお、報知は本実施例の報知に限定されず、例えば、音や光の点灯の組み合わせでもよい。
【０１８３】
このような本体側光出力部１６ｂやハンドピース側光出力部３５ｂは赤色に点灯する報知などの報知が行われることにより、施術者は、ハンドピース３０が滅菌処理を施されておらず、施術に用いることができないハンドピース３０であることを施術前に、より詳しくはハンドピース３０と接続ユニット４０との接続前に確実に認識することができ、ハンドピース３０を誤って患者に使用することを予防することができるとともに、接続ユニット４０などへの汚染を防止することができる。
【０１８４】
また、ハンドピース側報知動作制御部１３ｂが、ハンドピース側報知信号送信プログラムを本体側プログラム記憶部１４ｅから読み込んでハンドピース側報知部３５の報知を制御することにより、ハンドピース側音声出力部３５ａでのブザー音やメロディなどの音声の出力やハンドピース側光出力部３５ｂでの光の点滅や点灯などで、ハンドピース３０が滅菌処理されているか否かを報知することができる。これにより、施術者は視覚や聴覚により滅菌処理を行ったハンドピース３０かを認識することができる。  
したがって、施術者は滅菌処理を行ったハンドピース３０を確実に接続ユニット４０に接続することを防止することができる。
【０１８５】
なお、本実施例では、視覚および聴覚により滅菌処理を行ったハンドピース３０かを認識することができる構成としているが、例えば、ハンドピース側報知部３５に振動機能を設けることにより、振動で、すなわち触覚で滅菌処理を行ったハンドピース３０かを認識することができる構成としてもよい。
【０１８６】
また、本体側報知装置１６やハンドピース側報知部３５が、発光が可能な本体側光出力部１６ｂやハンドピース側光出力部３５ｂで構成としていることにより、施術者はハンドピース３０が、滅菌処理を行ったハンドピース３０であるかを視覚で容易に認識できる。また、ハンドピース３０と接続ユニット４０との接近をハンドピース側音声出力部３５ａで報知しているが、ハンドピース側光出力部３５ｂで報知することもできる。これにより、ハンドピース３０と接続ユニット４０との接近を視覚で認識することができる。
【０１８７】
また、施術操作制御本体１０と接続している接続ユニット４０に、ＲＷ電力供給部６１を備えるとともに、ハンドピース３０に接近させることによりハンドピース３０の識別情報を読取るＲＦＩＤリーダライタ６０を備えることができる。
【０１８８】
この発明により、接続ユニット４０に備えたＲＦＩＤリーダライタ６０とＲＦＩＤタグ５０とを相対的に接近させるだけで、受電アンテナ５１に受電すると同時に、施術操作制御本体１０でハンドピース３０に関する識別情報を読取ることができる。すなわち、部品数を削減して装置を簡素化することができるとともに、受電アンテナ５１への受電と識別情報の読取とを一連の動作で容易に行うことができる。
【０１８９】
また、通信アンテナ６２を備えるＲＦＩＤリーダライタ６０を接続ユニット４０に備えることにより、ＲＦＩＤリーダライタ６０を備えた機器を別に用意する必要が無く医療用診療装置１を構成する装置などの部品数を削減して簡素化することができる。
【０１９０】
また、所定動作部に対応する本体側報知装置１６として、警告表示を表示する本体側報知モニタ１６ｃを備えることで、本体側報知モニタ１６ｃに文字による警告表示を表示することができる。これにより、施術者は視覚にて警告内容を明確に認識することができる。また、本体側報知モニタ１６ｃに文章として表示することが可能であるため、施術者は音や光での報知と比べて、より詳細な警告理由を知ることができる。  
なお、警告を表示する表示装置はハンドピース３０に備える構成としても良い。
【０１９１】
また、本実施例では、警告表示を本体側報知モニタ１６ｃに表示しているが、本体側報知モニタ１６ｃの代わりに患者の情報やＸ線画像などが表示されるモニタ１７に表示する構成としてもよい。  
これにより、施術を行う際には必ず確認するモニタ１７に警告表示が表示されるため、ハンドピース３０が滅菌処理を行ったかを確実に認識することができ、万が一滅菌されていないハンドピース３０が接続ユニット４０に接続されていても、その使用を防止することができる。
【０１９２】
また、滅菌処理情報記憶部５２ｂにハンドピース３０を使用した情報である使用履歴情報Ｈや滅菌処理を施した情報である滅菌処理情報Ｓなどを新たに記憶することにより、施術者は最新の情報に基づいて、滅菌処理判定処理部１３ａ、ハンドピース側報知動作制御部１３ｂの制御によりハンドピース３０を使用することができるか否かを判定して報知動作を実行することができるため、施術者はハンドピース３０を安全に、かつ、繰り返して使用することができる。
【０１９３】
また、ＲＦＩＤタグ５０がパッシブ型のＲＦＩＤであるため、ＲＦＩＤリーダライタ６０とＲＦＩＤタグ５０とを相対的に接近させることにより、ハンドピース側に電力を供給することができる。すなわち、ハンドピース３０へ電力を供給するための電池を設ける必要がなく、ハンドピース３０の軽量化を図ることができる。また、ハンドピース３０には電力供給用の電池を設けていないため、例えば高温高圧環境下で滅菌するようなオートクレーブを行ったとしても、電池が劣化するといった問題が生じない。したがって、軽量であるとともに、滅菌処理を容易に行えるハンドピース３０を提供することができる。
【０１９４】
また、ハンドピース３０の識別情報に、オートクレーブ８０を用いて滅菌処理した滅菌回数に関する滅菌処理回数情報Ｃを含み、滅菌処理回数情報Ｃに基づいてハンドピース３０の交換の要否を判定するとともに、判定結果を報知する交換報知動作制御部１３ｃにより制御される本体側報知装置１６およびハンドピース側報知部３５とを備えることにより、施術者は、ハンドピース３０の交換すべきものであるか否かを認識することができる。
【０１９５】
詳述すると、滅菌処理回数情報Ｃを使用履歴情報記憶部５２ｃに記憶していることから、交換基準情報記憶部１４ｉに保存されている交換基準情報と滅菌処理回数情報Ｃとを、交換報知動作制御部１３ｃで比較してハンドピース３０の交換の要否を判定し、交換報知動作制御部１３ｃの制御によりハンドピース側報知部３５で判定結果を報知することができる。これにより、施術者はハンドピース３０が滅菌処理を施しているものであっても、交換すべきものであることを認識することができる。
【０１９６】
次に、滅菌処理が行われていないハンドピース３０と接続ユニット４０とを誤って接続してしまった場合の医療用診療装置１の動作について、図７および図１１に示すフローチャートに基づいて説明する。  
なお、図７については上述しているため、簡単に説明する。
【０１９７】
図７に示すように、受電アンテナ５１が電力の供給を受けることで（ステップｓ１）、ＲＦＩＤ記憶部５２から識別子情報Ｌと滅菌処理情報Ｓと使用履歴情報Ｈが読み込まれるとともに、これらの情報を施術操作制御本体１０に送信する送信信号を通信処理部５３ｂに送られる（ステップｓ２）。
【０１９８】
次に、送信信号を受けた通信処理部５３ｂの制御処理により、読み込まれた識別子情報Ｌと滅菌処理情報Ｓと使用履歴情報ＨとをＲＦＩＤ送信アンテナ５４ａを介して施術操作制御本体１０送信する（ステップｓ３）。  
そして、ＲＷ受信アンテナ６２ｂを介して受信した識別子情報Ｌと滅菌処理情報Ｓと使用履歴情報Ｈとを本体側情報更新制御部１２ｆの制御により本体側記憶装置１４に保存する。次に、滅菌処理判定処理部１３ａの処理により、保存した滅菌処理情報Ｓと使用履歴情報Ｈとを読み込んで比較し、ンドピース３０が滅菌処理済みであるか否かが判定されるとともに、判定結果である判定処理情報Ｄを判定処理情報記憶部１４ｄに記憶される（ステップｓ４）。
【０１９９】
判定処理の結果、ハンドピース３０の滅菌処理を行っていないと判定した場合（ステップｓ４：Ｎｏ）、図１１に示すように、滅菌処理判定処理部１３ａの制御による判定処理情報Ｄの記憶処理を受けて本体側報知動作処理部１２ｄが本体側報知用プログラムを読み込んで実行する。この本体側報知動作処理部１２ｄの処理により、本体側光出力部１６ｂを赤色に点灯するとともに、受信した識別子情報Ｌに基づきハンドピース識別情報記憶部１４ａに記憶する型番などの情報を読み込み、本体側報知モニタ１６ｃに『ハンドピース３０の型番』と『使用不可』を表示する（ステップｓ１８）。
【０２００】
また、判定処理情報Ｄを判定処理情報記憶部１４ｄに記憶する処理を受けて、ハンドピース側報知動作制御部１３ｂが本体側プログラム記憶部１４ｅからハンドピース側報知用プログラムを読み込み実行することで、ハンドピース３０の滅菌処理を行っていない場合の報知動作を制御する制御信号が報知設定記憶部１４ｇから読み込まれ、本体側通信制御部１２ｂの制御により、制御信号がハンドピース側に発信される（ステップｓ１９）。
【０２０１】
ハンドピース３０が、ＲＦＩＤ受信アンテナ５４ｂを介して報知動作を制御する制御信号を受信することにより（ステップｓ１９）、ハンドピース３０に備わるハンドピース側光出力部３５ｂが赤色に点灯される（ステップｓ２０）。  
報知動作の完了後に、報知動作が実行された旨の情報が、通信処理部５３ｂの通信処理によりＲＦＩＤ送信アンテナ５４ａとＲＷ受信アンテナ６２ｂとを介して施術操作制御本体１０に送信される（ステップｓ２１）。
【０２０２】
上述のように、本体側光出力部１６ｂおよびハンドピース側光出力部３５ｂが赤色に点灯されるとともに、本体側報知モニタ１６ｃに『ハンドピース３０の型番』と『使用不可』を表示されている（ステップｓ１８、ステップｓ２０）にもかかわらず、施術者が、報知動作に気が付かずに無意識にハンドピース３０と接続ユニット４０とを相対的に接近させた場合には、図１１に示すように、接続判定部１２ｇが接近判定プログラムを読み込んで実行し、接近検知センサー４５５から得られる情報を解析してハンドピース３０と接続ユニット４０との距離が所定の距離を超えたか否かを判定する（ステップｔ１）。
【０２０３】
接続判定部１２ｇの制御により、ハンドピース接続面３４１とユニット接続端面４５１との距離が所定の距離を超えていないと判定された場合には（ステップｔ１：Ｎｏ），本体側光出力部１６ｂを赤色に点灯させるともに、本体側報知モニタ１６ｃに『歯科診療用インスツルメント２０の型番』と『使用不可』と表示する。一方で、接続判定部１２ｇの制御により、ハンドピース接続面３４１とユニット接続端面４５１との距離が所定の距離を超えて近付いていると判定された場合には（ステップｔ１：Ｙｅｓ）、接続報知動作制御部１２ｈがプログラム記憶部３６ｄから接続報知用プログラムを読み込んで実行することで、本体側音声出力部１６ａからブザー音を発せられる（ステップｔ２）。
【０２０４】
また、接続判定部１２ｇの制御により得られた接近の判定結果である接近判定情報Ｎを受信したハンドピース側報知動作制御部１３ｂの制御により、接近報知動作記憶部１４ｈからハンドピース３０と接続ユニット４０との接近時における報知動作の制御信号を読み込むとともに、ハンドピース３０の制御信号を送信する送信信号が本体側通信制御部１２ｂに発信される。  
そして、本体側通信制御部１２ｂの制御により、ハンドピース３０の制御信号がＲＷ送信アンテナ６２ａを介してハンドピース側に送信される（ステップｔ３）
【０２０５】
ハンドピース３０が、ＲＦＩＤ受信アンテナ５４ｂを介してハンドピース３０の制御信号を受信することにより（ステップｔ３）、ハンドピース側光出力部３５ｂが赤色に点滅するとともに、ハンドピース側音声出力部３５ａからブザー音を発する（ステップｔ３）。
【０２０６】
次に、報知動作が行った旨の情報を送信信号として通信処理部５３ｂに発信する。送信信号を受けた通信処理部５３ｂの通信処理により報知動作を行った旨の情報を施術操作制御本体１０に送信する（ステップｔ４）。
【０２０７】
このブザー音が鳴っているにもかかわらず、ハンドピース３０と接続ユニット４０とをさらに接近させた場合には、接続判定部１２ｇの制御で、ハンドピース３０と接続ユニット４０とが接近・接続したか否かを判定する（ステップｔ４）。接続判定部１２ｇの制御により、接続していないと判定した場合（ステップｔ４：Ｎｏ）、接続報知動作制御部１２ｈがプログラム記憶部３６ｄから接続報知用プログラムを読み込んで実行して、本体側音声出力部１６ａからブザー音を発する（ステップｔ２）。
【０２０８】
一方、接続判定部１２ｇの制御により、ハンドピース３０と接続ユニット４０とが接続したと判定した場合（ステップｔ４：Ｙｅｓ）、接続報知動作制御部１２ｈの制御により、本体側音声出力部１６ａで異なるブザー音が鳴らされるとともに（ステップｔ５）、接続判定部１２ｇの制御により得られた接近判定情報Ｎを受信したハンドピース側報知動作制御部１３ｂの制御により、接近報知動作記憶部１４ｈから接続時のハンドピース側報知部３５の報知動作の制御信号を読み込むとともに、本体側通信制御部１２ｂに対してハンドピース３０の制御信号を送信する送信信号が発信される。そして、送信信号を受信した１２ｂの制御により、ハンドピース３０の制御信号がＲＷ送信アンテナ６２ａを介してハンドピース側に送信される（ステップｔ６）。
【０２０９】
この制御信号をハンドピース３０が受信することにより、ハンドピース側光出力部３５ｂが赤色に点灯するとともに、ハンドピース側音声出力部３５ａから異なるブザー音を発するとともに（ステップｔ６）、ＲＦＩＤ制御部５３に識別情報の読取信号を発信し、読込制御部５３ａの制御により識別子情報記憶部５２ａに記憶する識別子情報Ｌを読出し、送信信号を通信処理部５３ｂに出す。送信信号を受けた通信処理部５３ｂの通信処理により識別子情報Ｌを施術操作制御本体１０に送信する（ステップｔ７）。
【０２１０】
識別情報Ｌを受信した施術操作制御本体１０は（ステップｔ７）、本体側駆動制御部１２ｃの制御により、識別子情報Ｌに基づきハンドピース３０の駆動情報を駆動制御情報記憶部１４ｂから読み込むとともに（ステップｔ８）、接続ユニット４０の回転駆動を禁止する処理を行い、その制御により、歯科診療用インスツルメント２０の駆動を禁止して（ステップｔ９）、一連の動作を終了する。
【０２１１】
これにより、滅菌処理がされていないハンドピース３０を接続ユニット４０に接続した場合であっても、ハンドピース３０の駆動が停止されることとなるため、施術者は滅菌処理をしていないハンドピース３０を用いて施術をすることができない。したがって、ハンドピース３０を使用して他の患者の施術を行うことができず、確実に感染の予防を行うことができる。
【０２１２】
このように、滅菌処理判定処理部１３ａでの判定処理の結果に基づいて、ハンドピース３０の駆動の禁止を制御する本体側駆動制御部１２ｃを備えることにより、例えば滅菌済みでないハンドピース３０を接続ユニット４０に誤って接続しても、接続ユニット４０の駆動を禁止することができる。したがって、万が一誤って滅菌処理を行っていないハンドピース３０を接続ユニット４０に接続した場合であっても、接続ユニット４０の駆動が停止されるため、ハンドピース３０を用いて施術することを防止することができる。すなわち、施術者は確実に感染の予防をすることができ、安全に施術することができる。
【０２１３】
また、本実施例において、駆動防止機構には本体側駆動制御部１２ｃが対応するが、必ずしも本体側駆動制御部１２ｃが駆動防止機構である必要はなく、例えば、駆動防止機構はハンドピース３０の駆動を停止する駆動規制部を駆動防止機構に対応する構成として設けてもよい。これにより、本体側駆動制御部１２ｃが駆動防止機構に対応する実施例と同様に、滅菌処理情報Ｓおよび使用履歴情報Ｈに基づいてハンドピース３０の駆動を停止することができる。
【実施例２】
【０２１４】
次に、本発明の変形例である医療用診療装置１ｘについて図１２乃至図１４に基づいて説明する。  
図１２は、図３と同様に、ハンドピース３０ｘと接続ユニット４０との接続を解除した状態の歯科診療用インスツルメント２０ｘの概略説明図を示している。より詳しくは、図１２（ａ）は歯科診療用インスツルメント２０ｘとの接続を解除したハンドピース３０ｘと接続ユニット４０との側面図を示し、図１２（ｂ）はハンドピース３０ｘの後端面を表した背面図を示している。図１２（ｃ）は突出機構３４６ｘの概略斜視図を示し、図１２（ｄ）は突出機構３４６ｘの前方の一部を断面表示した概略斜視図を示している。なお、図１２（ａ）はハンドピース３０ｘの後端部分と接続ユニット４０の先端部分について部分断面図を表示している。
【０２１５】
医療用診療装置１ｘの処理装置制御部１１を構成するハンドピース側制御部１３は、図５に示すように、滅菌処理判定処理部１３ａと、ハンドピース側報知動作制御部１３ｂと、交換報知動作制御部１３ｃと、突出部制御部１３ｘとで構成する。  
なお、実施例１の医療用診療装置１の構成および動作と同一である構成については、その詳細な説明を省略する。
【０２１６】
突出部制御部１３ｘは、滅菌処理判定処理部１３ａの制御による判定処理情報Ｄを判定処理情報記憶部１４ｄに記憶する記憶処理を受けて、ハンドピース３０ｘが滅菌処理しているか否かの判定処理情報Ｄを判定処理情報記憶部１４ｄから読み込み、判定処理情報Ｄに基づき後述するモータ３５０ｘを時計回り若しくは反時計回りに所定の回転数回転することを制御する制御信号を読み出すとともに、読み出した制御信号をハンドピース３０ｘに送信するように本体側通信制御部１２ｂに送信命令を行う突出部制御信号送信プログラムを本体側プログラム記憶部１４ｅから読み込んで実行する。
【０２１７】
図１３は、医療用診療装置１ｘの動作のフローチャートを示しており、左にハンドピース３０ｘのフローチャートを、右に施術操作制御本体１０のフローチャートを示す。図１４は、医療用診療装置１ｘにおける突出部３４６の収納のフローチャートを示しており、左にハンドピース３０のフローチャートを、右にオートクレーブ８０のフローチャートを示している。
【０２１８】
医療用診療装置１ｘを構成するハンドピース３０ｘは、図１２に示すように、接続ユニット４０と接続する後端面であるハンドピース接続面３４１に、長手方向後方に突出できる突出機構３４６ｘを備えた構成である。  
なお、ハンドピース３０ｘの構成で、ハンドピース３０と同じ構成については、同一の符号を付して、その説明を省略する。
【０２１９】
ハンドピース３０ｘは、図１２に示すように、ハンドピース３０と同様に、把持部３１、把持部３１と連接された細径のネック部３２、及びネック部３２に連接されたヘッド部３３が後方からこの順に配置されており、後方端部にはＲＦＩＤタグ５０を設けたハンドピース側接続部３４を備える。また、把持部３１の周面上部にはハンドピース側報知部３５を配置する。
【０２２０】
ハンドピース側報知部３５は、図２に示すハンドピース側音声出力部３５ａ、ハンドピース側光出力部３５ｂ、突出部制御部１３ｘの制御により、ハンドピース３０の長手方向に沿って前後に円柱状体が移動する突出機構３４６ｘを備えている（図１２参照）。
【０２２１】
接続障害部に対応する突出機構３４６ｘは、図１２（ｂ）に示すように、ハンドピース内壁３４２とハンドピース外壁３４３との間に形成されるハンドピース接続面３４１の中央やや下方に設けられた２本の円柱状の突出片が長手方向に突出する機構であり、図１２（ｃ）および（ｄ）に示すように、円柱体である突出片３４７ｘと、突出片３４７ｘを収納可能な収納部３４８ｘと、突出片３４７ｘ先端部から先方に伸びた雄ネジであるネジ軸３４９ｘと、ネジ軸３４９ｘの先端側に位置するモータ３５０ｘとで構成される。
【０２２２】
突出片３４７ｘは、図１２（ｃ）および（ｄ）に示すように、ドーナッツ状に形成されたハンドピース接続面３４１の厚さよりも一回り小さい径を有する円を底面とする円柱体であり、長手方向に対する長さは、ユニット側挿入部４５２の長さと比べて十分の一程度である。また、先端側底面の中心部分にはネジ軸３４９ｘのネジ山と同径の雌ねじ部を有する。
【０２２３】
収納部３４８ｘは、突出片３４７ｘよりも一回り大きな円柱状の空間を形成する収納部であり、収納部３４８ｘの内壁には、図示しない突出片３４７ｘの回転を止める回り止めを有する。
【０２２４】
ネジ軸３４９ｘは、図１２（ｃ）および図１２（ｄ）に示すように、突出片３４７ｘよりも小さな径を有する円柱体であり、外周面上にらせん状の溝を形成する雄ネジである。  
モータ３５０ｘは、突出部制御部１３ｘの制御により、ネジ軸３４９ｘの長手方向を軸として時計回り反時計回りに回転自在なモータであり、ネジ軸３４９ｘの先端と螺合して固定するネジ穴を中心に有する構成である。
【０２２５】
このような構成を有する突出機構３４６ｘは、ハンドピース３０ｘに固定されているモータ３５０ｘの回転により、モータ３５０ｘの回転軸（不図示）に固定されたネジ軸３４９ｘを回転させることができる。ネジ軸３４９ｘに対して螺合するように設けた突出片３４７ｘを収納部３４８ｘの中で回転止めにより回転不能にすることで、突出片３４７ｘのみが前後方向に摺動する構成とされている。
【０２２６】
以下、このような構成を有する医療用診療装置１ｘを用いて、施術者が患者の施術を行う場合の医療用診療装置１ｘの動作について、図１３に示すフローチャートに基づいて説明する。  
図１３は、ハンドピース３０ｘを滅菌処理していない場合の医療用診療装置１ｘの動作を示したフローチャートである。なお、ハンドピース３０ｘが滅菌処理している場合には、図７および図８に示すフローチャートに沿って医療用診療装置１ｘは動作する。
【０２２７】
実施例１と同様に、施術操作制御本体１０を起動することにより、本体側電力供給制御部１２ａの制御により、本体側プログラム記憶部１４ｅから電力供給用プログラムが読み込まれ、実行される。これにより、電源から接続ユニット４０に設けたＲＦＩＤリーダライタ６０（ＲＷ電力供給部６１）に電流を供給され、所定の周波数の電波を発信する（ステップｕ１）。この状態において、ハンドピース接続面３４１とユニット接続端面４５１とが対向するようにハンドピース３０と接続ユニット４０とを配置する。
【０２２８】
次に、ハンドピース３０を接続ユニット４０の先端方向に向けて近接させるように相対移動させて、ハンドピース接続面３４１に設けたＲＦＩＤタグ５０とユニット接続端面４５１に設けたＲＦＩＤリーダライタ６０とを互いに接近させる。これにより、ハンドピース３０に設けられたＲＦＩＤタグ５０内にコイル状に形成された受電アンテナ５１に電磁誘導が起こり、ＲＦＩＤが起動することとなる（ステップｕ１）。
【０２２９】
受電アンテナ５１が電力を受けることで、読込制御部５３ａがＲＦＩＤプログラム記憶部５２ｅに記憶する情報読込プログラムを読み込んで実行し、ＲＦＩＤ記憶部５２から識別子情報Ｌと滅菌処理情報Ｓおよび使用履歴情報Ｈが読み込むとともに、これらの情報を施術操作制御本体１０に送信する送信信号を通信処理部５３ｂに送る（ステップｕ２）。
【０２３０】
次に、送信信号を受けた通信処理部５３ｂの制御処理により、読み込まれた識別子情報Ｌと滅菌処理情報Ｓと使用履歴情報ＨとをＲＦＩＤ送信アンテナ５４ａを介して施術操作制御本体１０に送信する（ステップｕ３）。  
施術操作制御本体１０が受信した滅菌処理情報Ｓと使用履歴情報Ｈは、本体側情報更新制御部１２ｆの制御により本体側記憶装置１４に記憶される。そして滅菌処理判定処理部１３ａの制御により、本体側記憶装置１４に記憶された滅菌処理情報Ｓと使用履歴情報Ｈとを読み出して比較し、ハンドピース３０が滅菌処理済みか否かを判定するとともに、判定結果である判定処理情報Ｄを判定処理情報記憶部１４ｄに記憶する（ステップｕ４）。
【０２３１】
判定処理の結果、ハンドピース３０が滅菌処理を行っていないと判定した場合には（ステップｕ４：Ｎｏ）、図１３に示すように、本体側報知動作処理部１２ｄの処理により、本体側光出力部１６ｂを赤色に点灯するとともに、受信した識別子情報Ｌに基づきハンドピース識別情報記憶部１４ａに記憶する型番などの情報を読み込み、本体側報知モニタ１６ｃに『ハンドピース３０の型番』と『使用不可』を表示する（ステップｕ５）。
【０２３２】
また、判定処理情報Ｄを判定処理情報記憶部１４ｄに記憶する処理を受けて、ハンドピース側報知動作制御部１３ｂと突出部制御部１３ｘとが本体側プログラム記憶部１４ｅからハンドピース側報知信号送信プログラムおよび突出部制御信号送信プログラムを読み込み実行する。このハンドピース側報知動作制御部１３ｂと突出部制御部１３ｘとの制御により、判定処理情報Ｄに対応するハンドピース３０ｘの報知動作を制御する制御信号が報知設定記憶部１４ｇから読み込まれるとともに、ハンドピース３０ｘの報知動作を制御する制御信号を送信する送信信号が本体側通信制御部１２ｂに発信される。  
そして、送信信号を受信した本体側通信制御部１２ｂの制御により、制御信号がRW送信アンテナ６２ａを介してハンドピース３０ｘに送信される（ステップｕ５）。
【０２３３】
ＲＦＩＤ受信アンテナ５４ｂを介してハンドピース３０ｘの報知動作を制御する制御信号をハンドピース３０ｘが受信することにより（ステップｕ５）、ハンドピース３０ｘに備わるハンドピース側光出力部３５ｂが赤色に点灯されるとともに、突出部制御部１３ｘの制御により読み込まれるとともに送信された制御信号により、モータ３５０が回転と連動して回転するネジ軸３４９ｘと結合する突出片３４７ｘが後方へ突出する（ステップｕ６）。また突出片３４７ｘが突出するとともに、報知動作が行われた旨の情報が施術操作制御本体１０に送信される（ステップｕ７）。  
そして。施術操作制御本体１０が、報知動作が行われた旨の情報を受信することで、（ステップｕ７）一連の動作を終了する。
【０２３４】
このように、滅菌処理していないハンドピース３０ｘと接続ユニット４０との接続を試みようとすると、突出機構３４６ｘの構成である突出片３４７ｘが接続ユニット４０側に突出するため、ハンドピース３０と接続ユニット４０との接続を突出機構３４６ｘ（突出片３４７ｘ）が接続障害部を構成することで物理的に接続できないようにする。したがって、滅菌処理をしていないハンドピース３０ｘを接続することができず、確実に使用を制限することができる。
【０２３５】
なお、突出した突出片３４７ｘはオートクレーブ８０で滅菌処理することで収納することができる。  
以下において、ハンドピース３０ｘをオートクレーブ８０で滅菌処理する際のハンドピース３０ｘとオートクレーブ８０の動作について、図１４に示すフローチャートに基づいて説明する。なお、図１０と同一の工程については同一の符号を付して、簡略に説明する。
【０２３６】
先ず、オートクレーブ８０の電源を入れることで、ＲＷ電力供給部６１ｓのコイルに高周波電力が供給される（ステップｖ１）。次に、ハンドピース３０ｘのハンドピース接続面３４１が滅菌装置側接続部８６の滅菌装置側接続面８６１と対向するように配置し、ハンドピース３０ｘが滅菌装置側接続部８６と接続するように移動させることで、ＲＦＩＤタグ５０が起電することとなる（ステップｖ１）。これにより、ハンドピース３０ｘに電力が供給されることとなる。
【０２３７】
次に、電力の供給を受けることにより、読込制御部５３ａの制御により識別子情報Ｌを読み込むとともに、通信処理部５３ｂの通信処理により識別子情報Ｌを施術操作制御本体１０に送信する（ステップｖ２）。送信された識別子情報Ｌを受信したオートクレーブ８０では、滅菌装置側読取制御部８７ｃが滅菌条件読出プログラムを読み込んで実行することで、ハンドピース３０ｘに対応した滅菌処理条件を滅菌装置側記憶部８８から読み出す（ステップｖ３）。
【０２３８】
そして、滅菌装置側接近検出部８７ｆが、滅菌装置側センサー８６５から得られる情報を解析してハンドピース３０と滅菌装置側接続部８６と接続を検出する（ステップｖ４）。この際、突出片３４７ｘは、滅菌装置側接続部８６に備わる突片退避穴８６６に収納されるため、接続を妨害することはない。
【０２３９】
次に、滅菌処理検出処理部８７ｄの検出処理によって、滅菌処理が開始されたことを検出するとともに（ステップｖ５）、所定の条件を達した後に滅菌処理の終了したことを検出した後に（ステップｖ６）。滅菌処理情報作成部８７ｅの制御によって、新たな滅菌処理情報Ｓを作製し（ステップｖ７）、当該滅菌処理情報Ｓを滅菌装置側通信制御部８７ｂの制御によってハンドピース３０ｘに送信する（ステップｖ８）。
【０２４０】
送信された滅菌処理情報Ｓを受信したハンドピース３０ｘ（ＲＦＩＤタグ５０）は、情報更新制御部５３ｃの制御により、滅菌処理情報記憶部５２ｂに記憶する滅菌処理情報Ｓを書き換えて滅菌処理情報記憶部５２ｂに新たな滅菌処理情報Ｓとして保存する（ステップｖ８）。
【０２４１】
この際、新たな滅菌処理情報Ｓが滅菌処理情報記憶部５２ｂに記憶されることに基づいて、突出部制御部１３ｘの制御によって、モータ３５０ｘが回転して突出片３４７ｘが前方へ退去することとなるため、突出片３４７ｘが先方に移動して収納部３４８ｘに収納される（ステップｖ１１ｘ）。
【０２４２】
そして、突出片３４７ｘが先方に移動して収納部３４８ｘに収納された後に、ＲＦＩＤ送信アンテナ５４ａを介して接続解除許可の信号が送られる。この信号を受信した滅菌装置側動作制御部８７ｇの制御により、オートクレーブ本体８１の正面に設けてある蓋のロックを解除する（ステップｖ９）。これにより、施術者はハンドピース３０を接続ユニット４０から取り外すことができる。この際に、滅菌装置側接近検出部８７ｆの制御により、滅菌装置側接続部８６からハンドピース３０が取り外されたことが検出され（ステップｖ１０）、一連の動作が終了する。
【０２４３】
このように、突出片３４７ｘが突出しているハンドピース３０ｘであっても、突出片３４７ｘを収納できる突片退避穴８６６を備えたオートクレーブ８０を用いることで、ハンドピース３０ｘを滅菌処理できるとともに、滅菌処理されたハンドピース３０ｘを接続ユニット４０と接続することができる。
【０２４４】
また、本実施例において、ハンドピース３０ｘが滅菌処理情報Ｓを受信し（ステップｖ７）、滅菌処理情報Ｓを新たな滅菌処理情報Ｓとして保存すると同時に、滅菌処理回数情報Ｃを更新することもできる。
【０２４５】
このような構成を有する医療用診療装置１ｘは、医療用診療装置１と同様に、施術操作制御本体１０と接続ユニット４０とを備えるチェアーユニット７０で構成する医療用機器本体と、施術操作制御本体１０と接続チューブ４４を介して接続された接続ユニット４０と接続して使用するハンドピース３０ｘと、非接触で電力を供給するＲＷ電力供給部６１を有する接続ユニット４０とを備え、ハンドピース３０ｘに、少なくとも直近においてオートクレーブ８０を用いて滅菌処理を行ったか否かの情報である滅菌処理情報Ｓを記憶する滅菌処理情報記憶部５２ｂと、ＲＷ電力供給部６１（ＲＦＩＤリーダライタ６０）と相対的に接近させることにより電力を受電する受電アンテナ５１とを有するＲＦＩＤタグ５０を備えるとともに、滅菌処理情報Ｓに基づいて、ハンドピース３０ｘが滅菌処理されているかを判定することにより、ハンドピース３０ｘの使用を制限する所定動作を実施するかを判定する滅菌処理判定処理部１３ａと、滅菌処理判定処理部１３ａの判定結果に基づいて、本体側報知動作処理部１２ｄおよびハンドピース側報知動作制御部１３ｂ、突出部制御部１３ｘによって制御され、ハンドピース３０ｘの使用を制限する所定の報知動作を行うハンドピース３０ｘの使用の制限を判定するハンドピース側報知動作制御部１３ｂと、ハンドピース側報知動作制御部１３ｂによって制御され、施術操作制御本体１０とハンドピース３０ｘとの所定動作を行うハンドピース側報知部３５を備えることにより、ハンドピース３０ｘが滅菌処理済みであることを容易に確認することができるとともに、滅菌処理を行っていない場合に、その使用を制限することができる。
【０２４６】
具体的には、医療用診療装置１ｘは、接続ユニット４０の構成であるユニット側接続部４５と接続するハンドピース側接続部３４をハンドピース３０ｘに備え、突出部制御部１３ｘの制御により、ユニット側接続部４５とハンドピース側接続部３４との接続を防止する防止形状を形成する突出機構３４６ｘを備えることで、滅菌処理を行っていないハンドピース３０ｘと接続ユニット４０とを結合しようとした場合、滅菌処理情報記憶部５２ｂに記憶する滅菌処理情報Ｓと使用履歴情報Ｈに基づいて突出部制御部１３ｘが突出部制御信号送信プログラムを読み込んで実行することで、突出機構３４６ｘを突出することができる。
【０２４７】
これにより、ハンドピース３０ｘと接続ユニット４０との接続を確実に防止することができるため、施術者は滅菌処理を行っていないハンドピース３０ｘを用いて施術を行うことができない。したがって、滅菌処理を行っていないハンドピース３０ｘを他の患者に用いることを確実に防ぐことができる。
【０２４８】
なお、本実施例において、接続防止形状を形成する突出機構３４６ｘは、ハンドピースの軸方向を突出方向としているが、ハンドピースの径方向を突出方向としてもよく、また斜め方向を突出方向としても良い。すなわち、ハンドピース側の接続部とユニット側の接続部とが接続するのに障害となれば良いのであって、突出方向はいずれでも良いのである。また、突出量は、図１２（ａ）では、わずかであるが、突出量がユニット側挿入部４５２の長さよりも長くする場合や、ユニット側挿入部４５２がモータハンドピース３０ｘの内部に接触しない様に径方向に突出する場合であっても良く、これによりユニット側挿入部４５２がハンドピース３０ｘ内部に接触することも防ぐことが出来る。
【０２４９】
また、オートクレーブ８０により滅菌処理することで、突出片３４７ｘが収納部３４８ｘに収納される構成とすることにより、滅菌処理を行っていないハンドピース３０ｘが他の患者に使用されることを確実に防ぐとともに、使用勝手の良いハンドピース３０ｘおよび医療用診療装置１ｘを提供することができる。
【０２５０】
具体的に説明すると、ハンドピース３０ｘは接続ユニット４０に接続して駆動した後、施術者はハンドピース３０ｘと接続ユニット４０との接続を解除する。この滅菌処理が済んでいない状態のハンドピース３０ｘを接続ユニット４０と接近させた場合、本体側の本体側制御部１２からの信号でハンドピース側制御部の中の突出部制御部１３ｘに信号が送られて、モータ３５０ｘが回転する。このモータ３５０ｘの回転により突出片３４７ｘが後方に突出して、接続ユニット４０との接続が物理的に出来ない構成となる（図１２（ａ）参照）。
【０２５１】
しかしながら、ハンドピース３０ｘがオートクレーブ８０に接続されて滅菌処理された状態では、モータ３５０ｘが回転して突出片３４７ｘが前方に移動して収納部３４８ｘに収納され、接続ユニット４０との接続が物理的に可能となる。なお、滅菌装置側接続部８６は突片退避穴８６６を備えているため、ハンドピース側接続部３４に突出片３４７ｘが突出していても接続可能なように構成されている。
【０２５２】
また、ネジ軸３４９ｘの機構については、モータ駆動は一例であり、突出機構３４６ｘの別の構成としては、バネ等を用いた電磁ロック機構が採用できる。但し、バネは一例に過ぎず、ゴムやその他の弾性体でも良い。また、突出片３４７ｘの出没機構は、その他の出没機構でも良い。また、実際には、これらの例に限定されるものではない。また、動作し易い様にモータ機構や電磁ロック機構の駆動回路に昇圧回路を組み合わせて使用しても良い。
【０２５３】
また、本実施例において、オートクレーブ８０を用いて滅菌処理を行うとともに、滅菌処理情報作成部８７ｅの処理によりで作製された滅菌処理情報Ｓを、情報更新制御部５３ｃの制御により滅菌処理情報記憶部５２ｂに記憶する構成としているが、必ずしもこの構成である必要はなく、例えば、ハンドピース３０ｘ（ハンドピース３０も含める。）に記憶する滅菌処理情報Ｓを施術操作制御本体１０と接続して、操作パネル１５などで滅菌処理情報Ｓの内容を書き換える構成としても良いし、滅菌処理後に滅菌処理情報Ｓを書き換えるための機器を用いて滅菌処理情報を書き換えても良い。
【０２５４】
また、例えば院内ネットワークによりオートクレーブ８０と施術操作制御本体１０などとが接続されている場合には、オートクレーブが完了した際に施術操作制御本体１０に最新の滅菌処理情報Ｓを記憶する構成としても良い。  
この場合、ハンドピース３０ｘと接続ユニット４０とを接近させてハンドピース３０が起電すると同時に、本体側駆動制御部１２ｃの制御により、記憶した滅菌処理情報ＳをＲＦＩＤタグ５０に送信する。
【０２５５】
そして滅菌処理情報Ｓを受信することにより、情報更新制御部５３ｃが滅菌処理情報Ｓを滅菌処理情報記憶部５２ｂに記憶する制御を行うとともに、突出部制御部１３ｘの制御により、モータ３５０ｘが回転して突出片３４７ｘが前方へ退去して突出片３４７ｘを収納部３４８ｘに収納する。
【０２５６】
また、本実施例において、電力供給部は、医療用機器本体のハンドピースと接続するユニット側接続部４５に配置した例を示したが、この例に限られずにホルダ１９に設けても良いし、また、操作パネル１５又はその近傍に設けても良い。電力供給部をホルダ１９や操作パネル１５又はその近傍に設ける場合、ハンドピースのユニット側接続部４５に電力供給部を配置しなくとも良いので、スペース的に余裕のある設計が可能となる。
【０２５７】
この発明の構成と、上述の実施例との対応において、医療用診療装置は、医療用診療装置１または、医療用診療装置１ｘに対応し、
以下同様に、医療用機器本体は、施術操作制御本体１０、接続ユニット４０とを備えるチェアーユニット７０に対応し、
医療用施術具は、ハンドピース３０またはハンドピース３０ｘに対応し、
電力供給部は、ＲＷ電力供給部６１に対応し、
滅菌装置は、オートクレーブ８０に対応し、
滅菌処理情報は、滅菌処理情報Ｓに対応し、
情報記憶部は、ＲＦＩＤ記憶部５２に対応し、
受電部は、受電アンテナ５１に対応し、
識別体は、ＲＦＩＤタグ５０に対応し、
制御部は、滅菌処理判定処理部１３ａおよび、本体側報知動作処理部１２ｄ、ハンドピース側報知動作制御部１３ｂに対応し、
所定動作部は、本体側報知装置１６およびハンドピース側報知部３５に対応し、
本体側接続部は、ユニット側接続部４５に対応し、
施術具側接続部は、ハンドピース側接続部３４に対応し、
報知部は、本体側報知装置１６およびハンドピース側報知部３５に対応し、
光出力部は、本体側光出力部１６ｂおよびハンドピース側光出力部３５ｂに対応し、
読取部は、ＲＦＩＤリーダライタ６０に対応し、
警告表示機構は、本体側報知モニタ１６ｃに対応し、
交換判定部は、交換報知動作制御部１３ｃに対応し、
接近検出部は、接続判定部１２ｇに対応し、
接近報知部は、本体側報知装置１６に対応し、
交換報知部は、ハンドピース側音声出力部３５ａに対応するが、
接続障害部は、突出機構３４６ｘに対応するが、この発明は、上述の実施例の構成のみに限定されるものではなく、多くの実施の形態を得ることができる。
【０２５８】
例えば、本実施例においては、制御部に対応する滅菌処理判定処理部１３ａおよび本体側報知動作処理部１２ｄ、ハンドピース側報知動作制御部１３ｂを、施術操作制御本体１０に備えているが、必ずしも施術操作制御本体１０に備えている必要はなく、例えばハンドピース３０に備える構成でもよいし、接続ユニット４０に備える構成でもよい。
【０２５９】
さらに、本実施例において、チェアーユニット７０の内部には機能的構成であるハンドピース側制御部１３の他、ハンドピースの制御に必要な記憶部である報知設定記憶部１４ｇ、接近報知動作記憶部１４ｈ、交換基準情報記憶部１４ｉなどを備えているが、これらはハンドピース３０の内部に設けていても良い。
【０２６０】
また、医療用診療装置１で報知する報知方法は実施例の構成に限るものでなく、例えば、ハンドピース側光出力部３５ｂの代わりにハンドピース側音声出力部３５ａを用いてもよいし、ハンドピース側音声出力部３５ａ、ハンドピース側光出力部３５ｂの２つを同時に用いる構成としてもよい。また、ハンドピース３０に警告を表示する警告表示部を設ける構成としても良い。
【０２６１】
また、本実施例において、例えば、ステップｓ１３において、施術後に施術者がハンドピース３０と接続ユニット４０とを分離しなかった場合、すなわち接続判定部１２ｇの制御により、ハンドピース３０と接続ユニット４０との接続解除を判定できなかった場合、接続ユニット４０に接続されたままのハンドピース３０が他の患者に使用されるおそれがある。
【０２６２】
しかし、例えばハンドピース側表示部３５ｃまたはモニタ１７に『使用不可』と表示することで使用できない旨を報知する構成とすることや、上述の報知とともに歯科診療用インスツルメント２０の駆動を禁止する構成としてもよい。なお、駆動禁止解除方法に関しては施術者が操作パネル１５を用いて、手動で駆動禁止を解除する構成とすることができる。
【０２６３】
また、モニタ１７に表示される患者情報が更新されることや、カルテを変更することにより、ハンドピース側表示部３５ｃやモニタ１７に『使用不可』などを表示して報知する構成としても良い。これにより、異なる患者に対して接続ユニット４０と接続したままのハンドピース３０の使用を防止することができる。さらには、患者を認識するカメラを備え、当該カメラと連動して患者情報とハンドピース３０とを対応させて識別し、異なる患者である場合には報知する構成としていても良い。
【０２６４】
また、本実施例において、ハンドピース３０は、マイクロモータハンドピースとしているが、マイクロモータハンドピースに限定されるわけではなく、例えば、エアータービンハンドピースであっても良いし、超音波スケーラーハンドピース、エアー駆動スケーラーハンドピース、根管治療用マイクロモータハンドピース、レーザハンドピース等の既存の各種のハンドピースとしても良い。
【０２６５】
なお、マイクロモータハンドピースを用いる場合には、マイクロモータハンドピースと接続する接続ユニット４０はマイクロモータ４１を内蔵する必要があるが、例えばエアータービンハンドピースである場合には、マイクロモータ４１を内蔵する必要はなく、代わりにエアーの噴出口などを有する構成である必要がある。
【０２６６】
すなわち、本発明における接続ユニット４０は、接続して用いるハンドピースと対応する構成であり、特定の構成に限定されるものではない。
【０２６７】
また、本実施例において、ハンドピース３０と接続ユニット４０との接続は接近検知センサー４５５に基づいて検出しているが、この構成に限定するものではなく、例えば、ハンドピース３０と、接続ユニット４０と接続チューブ４２には、それぞれ数値の異なる抵抗又はインピーダンス等を内蔵し、接続判定部１２ｇで抵抗やインピーダンスの合計値を検出することで、ＲＦＩＤタグ５０による検出とは別個にそれぞれどのような構成物が機械的接続を行ったかどうかを検出することが出来る。
【０２６８】
なお、本実施例において、ハンドピース３０と接続ユニット４０との接続を、施術操作制御本体１０に備えた接続判定部１２ｇの制御により、接近検知センサー４５５から得られる情報を解析することで検出する構成としているが、例えば、ＲＦＩＤタグ５０を用いて検出する構成としても良い。具体的には、ＲＦＩＤタグ５０の近接信号だけでは、ハンドピース３０が接続ユニット４０や接続チューブ４４と接続されたかどうかの検出は出来ないが、ＲＦＩＤタグ５０のＲＦＩＤ記憶部５２に予め記憶した施術操作制御本体１０からの駆動信号を識別する場合は、この駆動信号の識別によって接続判定部１２ｇによる検出とすることが出来る。
【０２６９】
また、本実施例のハンドピース３０において、接続ユニット４０とハンドピース３０との間の近接や着脱を非接触型の接続検知センサー３４５で検出しているが、接触型の接続検知センサーを使用しても良い。また、モータユニットはモータユニット後部に接続されるチューブ接続部と着脱可能に構成されているので、ＲＦＩＤや各種センサーをこの間にも設けても良い。
【０２７０】
また、本実施例においては、上記突出機構３４６ｘをハンドピース３０に設けたが、ユニット側接続部４５に設けても良い。この場合には、突出機構を持たないハンドピース３０に対しても接続障害部を構成することができる。また、上記突出機構３４６ｘをユニット側接続部４５に設ける構成とする場合、ハンドピース３０が滅菌済であることを検知し識別判定した場合には、上記突出機構３４６ｘの突出をしないように前記突出片３４７ｘが収納部３４８ｘ内に後退する。
【０２７１】
また、接続障害部の他の構成としては、ユニット側接続部４５にハンドピース３０と接続してエアー、水、電気、光等の作用媒体の物理的接続を出来ないようにするカバー（不図示）をユニット側接続部４５に出没させる構成などが採用できる。
【符号の説明】
【０２７２】
１      診療システム
１０    施術操作制御本体
１２ｃ  本体側駆動制御部
１２ｄ  本体側報知動作制御部
１３    ハンドピース側制御部
１３ａ  滅菌処理判定処理部
１３ｂ  ハンドピース側報知動作制御部
１３ｃ  交換報知動作制御部
１３ｘ  突出部制御部
１６    本体側報知部
３０    ハンドピース
３４    ハンドピース側接続部
３５    ハンドピース側報知部
３５ａ  ハンドピース側音声出力部
３５ｂ  ハンドピース側光出力部
４０    接続ユニット
４５    ユニット側接続部
４５５  接近検知センサー
５０    ＲＦＩＤタグ
５１    受電アンテナ
５２    ＲＦＩＤ記憶部
５２ｂ  滅菌処理情報記憶部
５２ｃ  使用履歴記憶部
５２ｄ  滅菌処理回数記憶部
５３    ＲＦＩＤ制御部
５３ｃ  情報更新制御部
５４    通信アンテナ
６０    ＲＦＩＤリーダライタ
６１    ＲＷ電力供給部
８０    オートクレーブ
３４６ｘ  突出機構
【図１】
0006426555.tif 000002
【図２】
0006426555.tif 000003
【図３】
0006426555.tif 000004
【図４】
0006426555.tif 000005
【図５】
0006426555.tif 000006
【図６】
0006426555.tif 000007
【図７】
0006426555.tif 000008
【図８】
0006426555.tif 000009
【図９】
0006426555.tif 000010
【図１０】
0006426555.tif 000011
【図１１】
0006426555.tif 000012
【図１２】
0006426555.tif 000013
【図１３】
0006426555.tif 000014
【図１４】
0006426555.tif 000015